(57)【要約】  ページングのための方法、ネットワークデバイス及び端末デバイス当該ページングのための方法を提供し、ネットワークデバイスが現在帯域キャリアの複数の同期情報ブロックＳＳＢから目標ＳＳＢを確定することと、当該ネットワークデバイスが当該目標ＳＳＢの存在する周波数領域位置において、端末デバイスに当該端末デバイスのページングメッセージを送信することとを含む。本発明の実施例では、現在の帯域キャリアの複数のＳＳＢの中から目標ＳＳＢを決定することにより、ネットワークデバイスが当該目標ＳＳＢの存在する周波数領域の位置で端末デバイスのページングメッセージを送信するため、ネットワーク側でのページングメッセージの送信の負荷を効果的に低減することができる。
2021520656.tif 000002
【特許請求の範囲】
【請求項１】
ネットワークデバイスが現在帯域キャリアの複数の同期情報ブロックＳＳＢから目標ＳＳＢを確定することと、
前記ネットワークデバイスが前記目標ＳＳＢの存在する周波数領域の位置で、端末デバイスに前記端末デバイスのページングメッセージを送信することとを含む
ことを特徴とするページングのための方法。
【請求項２】
前記ネットワークデバイスが現在帯域キャリアの複数の同期情報ブロックＳＳＢから目標ＳＳＢを確定することは、
前記ネットワークデバイスが以下の式によって前記目標ＳＳＢのインデックスを確定することを含み、
Ｉ＝ＵＥ−ＩＤ ｍｏｄ Ｍ
記ｍｏｄがモジュロ演算を示し、前記Ｉが前記目標ＳＳＢのインデックスであり、前記ＵＥ−ＩＤが前記端末デバイスの識別子又は前記端末デバイスの識別子を入力とする演算結果を示し、前記Ｍが前記複数のＳＳＢの数である
ことを特徴とする請求項１に記載のページングのための方法。
【請求項３】
前記ＵＥ−ＩＤが前記端末デバイスの一時的加入者識別子Ｓ−ＴＭＳＩであり、又は、前記ＵＥ−ＩＤが前記端末デバイスの国際移動加入者識別子ＩＭＳＩである
ことを特徴とする請求項２に記載のページングのための方法。
【請求項４】
前記ネットワークデバイスが現在帯域キャリアの複数の同期情報ブロックＳＳＢから目標ＳＳＢを確定する前に、前記方法は、さらに、
前記ネットワークデバイスが前記端末デバイスに、前記Ｍ、前記広帯域キャリアの各ＳＳＢのインデックス、前記広帯域キャリアの各ＳＳＢの周波数領域位置のうちの少なくとも１つの情報を放送することを含む
ことを特徴とする請求項２又は３に記載のページングのための方法。
【請求項５】
前記周波数領域位置が絶対無線周波数チャネル番号ＡＲＦＣＮであり、又は、前記周波数領域位置が現在のＳＳＢの周波数領域の位置に対するオフセット位置である
ことを特徴とする請求項４に記載のページングのための方法。
【請求項６】
前記ネットワークデバイスが現在帯域キャリアの複数の同期情報ブロックＳＳＢから目標ＳＳＢを確定することは、
前記ネットワークデバイスがシステムフレーム番号ＳＦＮ１を確定することと、
前記ネットワークデバイスが前記ＳＦＮ１と以下の式によって、前記目標ＳＳＢのインデックスを確定することとを含み、
Ｉ＝ ＳＦＮ１ ｍｏｄ Ｍ
前記ｍｏｄがモジュロ演算を示し、前記Ｉが前記目標ＳＳＢのインデックスであり、前記Ｍが前記複数のＳＳＢの数であり、
前記方法は、さらに、
前記ネットワークデバイスが前記ＳＦＮ１において、前記端末デバイスに前記ページングメッセージを送信することを含む
ことを特徴とする請求項１に記載のページングのための方法。
【請求項７】
前記ネットワークデバイスがシステムフレーム番号ＳＦＮ１を確定することは、
前記ネットワークデバイスが以下の式によってシステムフレーム番号ＳＦＮ２を確定することと、
前記ネットワークデバイスが前記ＳＦＮ２に基づいて前記ＳＦＮ１を確定することとを含み、
ＳＦＮ２ ｍｏｄ Ｔ＝（Ｔ ｄｉｖ Ｎ）＊（ＵＥ−ＩＤ ｍｏｄ Ｎ）
ここで、前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である
ことを特徴とする請求項６に記載のページングのための方法。
【請求項８】
前記ネットワークデバイスが前記ＳＦＮ２に基づいて前記ＳＦＮ１を確定することは、
前記ネットワークデバイスが前記ＳＦＮ２を前記ＳＦＮ１として確定することを含む
ことを特徴とする請求項７に記載のページングのための方法。
【請求項９】
前記ネットワークデバイスが前記ＳＦＮ２に基づいて前記ＳＦＮ１を確定することは、
前記ネットワークデバイスが前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定することを含む
ことを特徴とする請求項７に記載のページングのための方法。
【請求項１０】
前記少なくとも１つのＳＦＮの数がシステムにより設定され、又は、前記少なくとも１つのＳＦＮの数が前記ネットワークデバイスのシステムにより前記端末デバイスに放送される
ことを特徴とする請求項９に記載のページングのための方法。
【請求項１１】
端末デバイスが現在帯域キャリアの複数の同期情報ブロックＳＳＢから目標ＳＳＢを確定することと、
前記端末デバイスが前記目標ＳＳＢの存在する周波数領域位置で、ネットワークデバイスにより送信された前記端末デバイスのページングメッセージを受信することとを含む
ことを特徴とするページングのための方法。
【請求項１２】
前記端末デバイスが現在帯域キャリアの複数の同期情報ブロックＳＳＢから目標ＳＳＢを確定することは、
前記端末デバイスが以下の式によって前記目標ＳＳＢのインデックスを確定することを含み、
Ｉ＝ＵＥ−ＩＤ ｍｏｄ Ｍ
前記ｍｏｄがモジュロ演算を示し、前記Ｉが前記目標ＳＳＢのインデックスであり、前記ＵＥ−ＩＤが前記端末デバイスの識別子又は前記端末デバイスの識別子を入力とする演算結果を示し、前記Ｍが前記複数のＳＳＢの数である
ことを特徴とする請求項１１に記載のページングのための方法。
【請求項１３】
前記ＵＥ−ＩＤが前記端末デバイスの一時的加入者識別子Ｓ−ＴＭＳＩであり、又は、前記ＵＥ−ＩＤが前記端末デバイスの国際移動加入者識別子ＩＭＳＩである
ことを特徴とする請求項１２に記載のページングのための方法。
【請求項１４】
前記端末デバイスが現在帯域キャリアの複数の同期情報ブロックＳＳＢから目標ＳＳＢを確定する前に、前記方法は、さらに、
前記端末デバイスが前記ネットワークデバイスにより放送された、前記Ｍ、前記広帯域キャリアの各ＳＳＢのインデックス、前記広帯域キャリアの各ＳＳＢの周波数領域位置のうちの少なくとも１つの情報を受信するすることを含む
ことを特徴とする請求項１２又は１３に記載のページングのための方法。
【請求項１５】
前記周波数領域位置が絶対無線周波数チャネル番号ＡＲＦＣＮであり、又は、前記周波数領域位置が現在のＳＳＢの周波数領域の位置に対するオフセット位置である
ことを特徴とする請求項１４に記載のページングのための方法。
【請求項１６】
前記端末デバイスが現在帯域キャリアの複数の同期情報ブロックＳＳＢから目標ＳＳＢを確定することは、
前記端末デバイスがシステムフレーム番号ＳＦＮ１を確定することと、
前記端末デバイスが前記ＳＦＮ１と以下の式によって前記目標ＳＳＢのインデックスを確定することとを含み、
Ｉ＝ ＳＦＮ１ ｍｏｄ Ｍ
前記ｍｏｄがモジュロ演算を示し、前記Ｉが前記目標ＳＳＢのインデックスであり、前記Ｍが前記複数のＳＳＢの数であり、
前記方法は、さらに、
前記端末デバイスが前記ＳＦＮ１において、前記ネットワークデバイスにより送信された前記ページングメッセージを受信することを含む
ことを特徴とする請求項１１に記載のページングのための方法。
【請求項１７】
前記端末デバイスがシステムフレーム番号ＳＦＮ１を確定することは、
前記端末デバイスが以下の式によってシステムフレーム番号ＳＦＮ２を確定することと、
前記端末デバイスが前記ＳＦＮ２に基づいて前記ＳＦＮ１を確定することとを含み、
ＳＦＮ２ ｍｏｄ Ｔ＝（Ｔ ｄｉｖ Ｎ）＊（ＵＥ−ＩＤ ｍｏｄ Ｎ）
前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である
ことを特徴とする請求項１６に記載のページングのための方法。
【請求項１８】
前記端末デバイスが前記ＳＦＮ２に基づいて前記ＳＦＮ１を確定することは、
前記端末デバイスが前記ＳＦＮ２を前記ＳＦＮ１として確定することを含む
ことを特徴とする請求項１７に記載のページングのための方法。
【請求項１９】
前記端末デバイスが前記ＳＦＮ２に基づいて前記ＳＦＮ１を確定することは、
前記端末デバイスが前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定することを含む
ことを特徴とする請求項１７に記載のページングのための方法。
【請求項２０】
前記少なくとも１つのＳＦＮの数がシステムにより設定され、又は、前記少なくとも１つのＳＦＮの数が前記ネットワークデバイスのシステムにより前記端末デバイスに放送される
ことを特徴とする請求項１９に記載のページングのための方法。
【請求項２１】
現在帯域キャリアの複数の同期情報ブロックＳＳＢから目標ＳＳＢを確定するように構成される確定ユニットと、
前記目標ＳＳＢの存在する周波数領域位置で、端末デバイスに前記端末デバイスのページングメッセージを送信するように構成される送受信ユニットとを含む
ことを特徴とするネットワークデバイス。
【請求項２２】
前記確定ユニットは、
以下の式によって前記目標ＳＳＢのインデックスを確定するように構成され、
Ｉ＝ＵＥ−ＩＤ ｍｏｄ Ｍ
前記ｍｏｄがモジュロ演算を示し、前記Ｉが前記目標ＳＳＢのインデックスであり、前記ＵＥ−ＩＤが前記端末デバイスの識別子又は前記端末デバイスの識別子を入力とする演算結果を示し、前記Ｍが前記複数のＳＳＢの数である
ことを特徴とする請求項２１に記載のネットワークデバイス。
【請求項２３】
前記ＵＥ−ＩＤが前記端末デバイスの一時的加入者識別子Ｓ−ＴＭＳＩであり、又は、前記ＵＥ−ＩＤが前記端末デバイスの国際移動加入者識別子ＩＭＳＩである
ことを特徴とする請求項２２に記載のネットワークデバイス。
【請求項２４】
前記確定ユニットが現在帯域キャリアの複数の同期情報ブロックＳＳＢから目標ＳＳＢを確定する前に、前記送受信ユニットは、さらに
前記端末デバイスに、前記Ｍ、前記広帯域キャリアの各ＳＳＢのインデックス、前記広帯域キャリアの各ＳＳＢの周波数領域位置のうちの少なくとも１つの情報を放送するように構成される
ことを特徴とする請求項２２又は２３に記載のネットワークデバイス。
【請求項２５】
前記周波数領域位置が絶対無線周波数チャネル番号ＡＲＦＣＮであり、又は、前記周波数領域位置が現在のＳＳＢの周波数領域の位置に対するオフセット位置である
ことを特徴とする請求項２４に記載のネットワークデバイス。
【請求項２６】
前記確定ユニットは、
システムフレーム番号ＳＦＮ１を確定し、
前記ＳＦＮ１と以下の式によって前記目標ＳＳＢのインデックスを確定するように構成され、
Ｉ＝ ＳＦＮ１ ｍｏｄ Ｍ
前記ｍｏｄがモジュロ演算を示し、前記Ｉが前記目標ＳＳＢのインデックスであり、前記Ｍが前記複数のＳＳＢの数であり、
前記送受信ユニットは、
前記ＳＦＮ１において、前記端末デバイスに前記ページングメッセージを送信するように構成される
ことを特徴とする請求項２１に記載のネットワークデバイス。
【請求項２７】
前記確定ユニットは、
以下の式によってシステムフレーム番号ＳＦＮ２を確定し、
前記ＳＦＮ２に基づいて前記ＳＦＮ１を確定するように構成され、
ＳＦＮ２ ｍｏｄ Ｔ＝（Ｔ ｄｉｖ Ｎ）＊（ＵＥ−ＩＤ ｍｏｄ Ｎ）
前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である
ことを特徴とする請求項２６に記載のネットワークデバイス。
【請求項２８】
前記確定ユニットは、
前記ＳＦＮ２を前記ＳＦＮ１として確定するように構成される
ことを特徴とする請求項２７に記載のネットワークデバイス。
【請求項２９】
前記確定ユニットは、
前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定するように構成される
ことを特徴とする請求項２７に記載のネットワークデバイス。
【請求項３０】
前記少なくとも１つのＳＦＮの数がシステムにより設定され、又は、前記少なくとも１つのＳＦＮの数が前記ネットワークデバイスのシステムにより前記端末デバイスに放送される
ことを特徴とする請求項２９に記載のネットワークデバイス。
【請求項３１】
現在帯域キャリアの複数の同期情報ブロックＳＳＢから目標ＳＳＢを確定するように構成される確定ユニットと、
前記目標ＳＳＢの存在する周波数領域位置で、ネットワークデバイスにより送信された前記端末デバイスのページングメッセージを受信するように構成される送受信ユニットとを含む
ことを特徴とする端末デバイス。
【請求項３２】
前記確定ユニットは、
以下の式によって前記目標ＳＳＢのインデックスを確定するように構成され、
Ｉ＝ＵＥ−ＩＤ ｍｏｄ Ｍ
前記ｍｏｄがモジュロ演算を示し、前記Ｉが前記目標ＳＳＢのインデックスであり、前記ＵＥ−ＩＤが前記端末デバイスの識別子又は前記端末デバイスの識別子を入力とする演算結果を示し、前記Ｍが前記複数のＳＳＢの数である
ことを特徴とする請求項３１に記載の端末デバイス。
【請求項３３】
前記ＵＥ−ＩＤが前記端末デバイスの一時的加入者識別子Ｓ−ＴＭＳＩであり、又は、前記ＵＥ−ＩＤが前記端末デバイスの国際移動加入者識別子ＩＭＳＩである
ことを特徴とする請求項３２に記載の端末デバイス。
【請求項３４】
前記端末デバイスが現在帯域キャリアの複数の同期情報ブロックＳＳＢから目標ＳＳＢを確定する前に、前記端末デバイスは、
前記端末デバイスが前記ネットワークデバイスにより放送された、前記Ｍ、前記広帯域キャリアの各ＳＳＢのインデックス、前記広帯域キャリアの各ＳＳＢの周波数領域位置のうちの少なくとも１つの情報を受信する
ことを特徴とする請求項３２又は３３に記載の端末デバイス。
【請求項３５】
前記周波数領域位置が絶対無線周波数チャネル番号ＡＲＦＣＮであり、又は、前記周波数領域位置が現在のＳＳＢの周波数領域の位置に対するオフセット位置である
ことを特徴とする請求項３４に記載の端末デバイス。
【請求項３６】
前記確定ユニットは、
システムフレーム番号ＳＦＮ１を確定し、
前記ＳＦＮ１と以下の式によって前記目標ＳＳＢのインデックスを確定するように構成され、
Ｉ＝ ＳＦＮ１ ｍｏｄ Ｍ
前記ｍｏｄがモジュロ演算を示し、前記Ｉが前記目標ＳＳＢのインデックスであり、前記Ｍが前記複数のＳＳＢの数であり、
前記送受信ユニットは、さらに、
前記ＳＦＮ１において、前記ネットワークデバイスにより送信された前記ページングメッセージを受信するように構成される
ことを特徴とする請求項３１に記載の端末デバイス。
【請求項３７】
前記確定ユニットは、
以下の式によってシステムフレーム番号ＳＦＮ２を確定し、
前記ＳＦＮ２に基づいて前記ＳＦＮ１を確定するように構成され、
ＳＦＮ２ ｍｏｄ Ｔ＝（Ｔ ｄｉｖ Ｎ）＊（ＵＥ−ＩＤ ｍｏｄ Ｎ）
前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である
ことを特徴とする請求項３６に記載の端末デバイス。
【請求項３８】
前記確定ユニットは、
前記ＳＦＮ２を前記ＳＦＮ１として確定するように構成される
ことを特徴とする請求項３７に記載の端末デバイス。
【請求項３９】
前記確定ユニットは、
前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定するように構成される
ことを特徴とする請求項３７に記載の端末デバイス。
【請求項４０】
前記少なくとも１つのＳＦＮの数がシステムにより設定され、又は、前記少なくとも１つのＳＦＮの数が前記ネットワークデバイスのシステムにより前記端末デバイスに放送される
ことを特徴とする請求項３９に記載の端末デバイス。
【発明の詳細な説明】
【技術分野】
【０００１】
本発明の実施例は、通信分野に関し、具体的に、ページングのための方法、ネットワークデバイス及び端末デバイスに関する。
【背景技術】
【０００２】
人々は、速度、遅延、高速移動性、エネルギー効率に対する追求、および将来の生活におけるサービスの多様性、複雑になる。第３世代パートナーシッププロジェクト( Ｔｈｅ  ３ ｒｄ Ｇｅｎｅｒａｔｉｏｎ Ｐａｒｔｎｅｒｓｈｉｐ Ｐｒｏｊｅｃｔ、３ ＧＰＰ )国際標準団体は、第５世代（５−Ｇｅｎｅｒａｔｉｏｎ、５Ｇ）動通信技術の開発を開始している。５Ｇの主な適用シーンは、拡張モバイルウルトラワイドバンド( Ｅｎｈａｎｃｅ Ｍｏｂｉｌｅ Ｂｒｏａｄｂａｎｄ、ｅＭＢＢ )、低遅延高信頼通信( Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ、ＵＲＬＬＣ )、大規模機械クラス通信( ｍａｓｓｉｖｅ ｍａｃｈｉｎｅ ｔｙｐｅ ｏｆ ｃｏｍｍｕｎｉｃａｔｉｏｎ、ｍＭＴＣ )である。
【０００３】
５Ｇ  ＮＲ（ Ｎｅｗ Ｒａｄｉｏ)の早期構成において、５Ｇ ＮＲのユーザデバイス( Ｕｓｅｒ Ｅｑｕｉｐｍｅｎｔ、ＵＥ )は、ロングタームエボリューション( Ｌｏｎｇ Ｔｅｒｍ Ｅｖｏｌｕｔｉｏｎ、ＬＴＥ )のＵＥと同様に、まずコアネットワークにアタッチ登録され、その後、コアネットワークにＵＥのコンテキスト情報が存在し、そのうちの１つはロケーションエリア情報( ＴＡ ｌｉｓｔ )であり、ＵＥのページングが存在する場合、コアネットワークは、ＴＡ ｌｉｓｔの所在の全ての基地局においてページングメッセージを送信し、基地局は、基地局の下の全てのセルにおいてＵＥのページングをトリガする。したがって、１つのＵＥのページング範囲は、少なくとも１つのＴＡ ｌｉｓｔ範囲内の全てのセルでページングメッセージを送信する。
【０００４】
５Ｇ ＮＲでは、セルがマルチビーム（ｂｅａｍ）形式をとるので、ＵＥにページングするためには、ページングメッセージを各セルの各ビームで送信しなければならない。また、高周波で構成される１セルに対しては、ビームが多くなり、例えば、ビームが６４である場合、１セル内のページングは６４回の送信が必要となり、ネットワークのシグナリング負荷が増大する。したがって、ＵＥがページングメッセージを送信するネットワーク側の負荷をどのように低減するかは、緊急に解決すべき課題である。
【発明の概要】
【０００５】
本願は、ネットワーク側からのページングメッセージの送信負荷を軽減することができるページングのための方法、ネットワークデバイス及び端末デバイスを提供する。
【０００６】
第１の態様は、ページングのための方法を提供し、
ネットワークデバイスが現在帯域キャリアの複数の同期情報ブロックＳＳＢから目標ＳＳＢを確定することと、
前記ネットワークデバイスが前記目標ＳＳＢの存在する周波数領域の位置で、端末デバイスに前記端末デバイスのページングメッセージを送信することとを含む。
【０００７】
本発明の実施例では、現在の帯域キャリアの複数のＳＳＢの中から目標ＳＳＢを決定することにより、ネットワークデバイスが当該目標ＳＳＢの存在する周波数領域の位置のみにおいて端末デバイスにページングメッセージを送信することで、ネットワーク側でのページングメッセージの送信の負荷を効果的に低減することができる。
【０００８】
ある実現可能な方式において、前記ネットワークデバイスが現在帯域キャリアの複数の同期情報ブロックＳＳＢから目標ＳＳＢを確定することは、
前記ネットワークデバイスが以下の式によって前記目標ＳＳＢのインデックスを確定することを含み、
Ｉ＝ＵＥ−ＩＤ ｍｏｄ Ｍ
ここで、前記ｍｏｄがモジュロ演算を示し、前記Ｉが前記目標ＳＳＢのインデックスであり、前記ＵＥ−ＩＤが前記端末デバイスの識別子又は前記端末デバイスの識別子を入力とする演算結果を示し、前記Ｍが前記複数のＳＳＢの数である。
【０００９】
ある実現可能な方式において、前記ＵＥ−ＩＤが前記端末デバイスの一時的加入者識別子Ｓ−ＴＭＳＩであり、又は、前記ＵＥ−ＩＤが前記端末デバイスの国際移動加入者識別子ＩＭＳＩである。
【００１０】
ある実現可能な方式において、前記ネットワークデバイスが現在帯域キャリアの複数の同期情報ブロックＳＳＢから目標ＳＳＢを確定する前に、前記方法は、さらに、
前記ネットワークデバイスが前記端末デバイスに、前記Ｍ、前記広帯域キャリアの各ＳＳＢのインデックス、前記広帯域キャリアの各ＳＳＢの周波数領域位置のうちの少なくとも１つの情報を放送することを含む。
【００１１】
ある実現可能な方式において、前記周波数領域位置が絶対無線周波数チャネル番号ＡＲＦＣＮであり、又は、前記周波数領域位置が現在のＳＳＢの周波数領域の位置に対するオフセット位置である。
【００１２】
ある実現可能な方式において、前記ネットワークデバイスが現在帯域キャリアの複数の同期情報ブロックＳＳＢから目標ＳＳＢを確定することは、
前記ネットワークデバイスがシステムフレーム番号ＳＦＮ１を確定することと、
前記ネットワークデバイスが前記ＳＦＮ１と以下の式によって、前記目標ＳＳＢのインデックスを確定することとを含み、
Ｉ＝ ＳＦＮ１ ｍｏｄ Ｍ
ここで、前記ｍｏｄがモジュロ演算を示し、前記Ｉが前記目標ＳＳＢのインデックスであり、前記Ｍが前記複数のＳＳＢの数であり、前記方法は、さらに、
前記ネットワークデバイスが前記ＳＦＮ１において、前記端末デバイスに前記ページングメッセージを送信することを含む。
【００１３】
ある実現可能な方式において、前記ネットワークデバイスがシステムフレーム番号ＳＦＮ１を確定することは、
前記ネットワークデバイスが以下の式によってシステムフレーム番号ＳＦＮ２を確定することと、
前記ネットワークデバイスが前記ＳＦＮ２に基づいて前記ＳＦＮ１を確定することとを含み、
ＳＦＮ２ ｍｏｄ Ｔ＝（Ｔ ｄｉｖ Ｎ）＊（ＵＥ−ＩＤ ｍｏｄ Ｎ）
ここで、前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である。
【００１４】
ある実現可能な方式において、前記ネットワークデバイスが前記ＳＦＮ２に基づいて前記ＳＦＮ１を確定することは、
前記ネットワークデバイスが前記ＳＦＮ２を前記ＳＦＮ１として確定することを含む。
【００１５】
ある実現可能な方式において、前記ネットワークデバイスが前記ＳＦＮ２に基づいて前記ＳＦＮ１を確定することは、
前記ネットワークデバイスが前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定することを含む。
【００１６】
ある実現可能な方式において、前記少なくとも１つのＳＦＮの数がシステムにより設定され、又は、前記少なくとも１つのＳＦＮの数が前記ネットワークデバイスのシステムにより前記端末デバイスに放送される。
【００１７】
第２の態様は、ページングのための方法を提供し、
端末デバイスが現在帯域キャリアの複数の同期情報ブロックＳＳＢから目標ＳＳＢを確定することと、
前記端末デバイスが前記目標ＳＳＢの存在する周波数領域位置で、ネットワークデバイスにより送信された前記端末デバイスのページングメッセージを受信することとを含む。
【００１８】
ある実現可能な方式において、前記端末デバイスが現在帯域キャリアの複数の同期情報ブロックＳＳＢから目標ＳＳＢを確定することは、
前記端末デバイスが以下の式によって前記目標ＳＳＢのインデックスを確定することを含み、
Ｉ＝ＵＥ−ＩＤ ｍｏｄ Ｍ
ここで、前記ｍｏｄがモジュロ演算を示し、前記Ｉが前記目標ＳＳＢのインデックスであり、前記ＵＥ−ＩＤが前記端末デバイスの識別子又は前記端末デバイスの識別子を入力とする演算結果を示し、前記Ｍが前記複数のＳＳＢの数である。
【００１９】
ある実現可能な方式において、前記ＵＥ−ＩＤが前記端末デバイスの一時的加入者識別子Ｓ−ＴＭＳＩであり、又は、前記ＵＥ−ＩＤが前記端末デバイスの国際移動加入者識別子ＩＭＳＩである。
【００２０】
ある実現可能な方式において、前記端末デバイスが現在帯域キャリアの複数の同期情報ブロックＳＳＢから目標ＳＳＢを確定する前に、前記方法は、さらに、
前記端末デバイスが前記ネットワークデバイスにより放送された、前記Ｍ、前記広帯域キャリアの各ＳＳＢのインデックス、前記広帯域キャリアの各ＳＳＢの周波数領域位置のうちの少なくとも１つの情報を受信することを含む。
【００２１】
ある実現可能な方式において、前記周波数領域位置が絶対無線周波数チャネル番号ＡＲＦＣＮであり、又は、前記周波数領域位置が現在のＳＳＢの周波数領域の位置に対するオフセット位置である。
【００２２】
ある実現可能な方式において、前記端末デバイスが現在帯域キャリアの複数の同期情報ブロックＳＳＢから目標ＳＳＢを確定することは、
前記端末デバイスがシステムフレーム番号ＳＦＮ１を確定することと、
前記端末デバイスが前記ＳＦＮ１と以下の式によって前記目標ＳＳＢのインデックスを確定することと、を含み、
Ｉ＝ ＳＦＮ１ ｍｏｄ Ｍ
ここで、前記ｍｏｄがモジュロ演算を示し、前記Ｉが前記目標ＳＳＢのインデックスであり、前記Ｍが前記複数のＳＳＢの数であり、前記方法は、さらに、
前記端末デバイスが前記ＳＦＮ１において、前記ネットワークデバイスにより送信された前記ページングメッセージを受信することを含む。
【００２３】
ある実現可能な方式において、前記端末デバイスがシステムフレーム番号ＳＦＮ１を確定することは、
前記端末デバイスが以下の式によってシステムフレーム番号ＳＦＮ２を確定することと、
前記端末デバイスが前記ＳＦＮ２に基づいて前記ＳＦＮ１を確定することとを含み、
ＳＦＮ２ ｍｏｄ Ｔ＝（Ｔ ｄｉｖ Ｎ）＊（ＵＥ−ＩＤ ｍｏｄ Ｎ）
ここで、前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である。
【００２４】
ある実現可能な方式において、前記端末デバイスが前記ＳＦＮ２に基づいて前記ＳＦＮ１を確定することは、
前記端末デバイスが前記ＳＦＮ２を前記ＳＦＮ１として確定することを含む。
【００２５】
ある実現可能な方式において、前記端末デバイスが前記ＳＦＮ２に基づいて前記ＳＦＮ１を確定することは、
前記端末デバイスが前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定することを含む。
【００２６】
ある実現可能な方式において、前記少なくとも１つのＳＦＮの数がシステムにより設定され、又は、前記少なくとも１つのＳＦＮの数が前記ネットワークデバイスのシステムにより前記端末デバイスに放送される。
【００２７】
第３の態様は、ネットワークデバイスを提供し、
現在帯域キャリアの複数の同期情報ブロックＳＳＢから目標ＳＳＢを確定するように構成される確定ユニットと、
前記目標ＳＳＢの存在する周波数領域位置で、端末デバイスに前記端末デバイスのページングメッセージを送信するように構成される送受信ユニットとを含む。
【００２８】
第４の態様は、端末デバイスを提供し、
現在帯域キャリアの複数の同期情報ブロックＳＳＢから目標ＳＳＢを確定するように構成される確定ユニットと、
前記目標ＳＳＢの存在する周波数領域位置で、ネットワークデバイスにより送信された前記端末デバイスのページングメッセージを受信するように構成される送受信ユニットとを含む。
【００２９】
第５の態様は、プロセッサ及び送受信機を含むネットワークデバイスを提供し、
プロセッサは、現在帯域キャリアの複数の同期情報ブロックＳＳＢから目標ＳＳＢを確定するように構成され、
送受信機は、前記目標ＳＳＢの存在する周波数領域位置において、端末デバイスに前記端末デバイスのページングメッセージを送信するように構成される。
【００３０】
第６の態様は、プロセッサ及び送受信機を含む端末デバイスを提供し、
プロセッサは、現在帯域キャリアの複数の同期情報ブロックＳＳＢから目標ＳＳＢを確定するように構成され、
送受信機は、前記目標ＳＳＢの存在する周波数領域位置において、ネットワークデバイスにより送信された前記端末デバイスのページングメッセージを受信するように構成される。
【００３１】
第７の態様は、上述の第１の態様または第２の態様の方法の実施例を実行するための命令を含むコンピュータプログラムを記憶するためのコンピュータ可読媒体を提供する。
【００３２】
第８の態様は、入力インタフェースと、出力インタフェースと、少なくとも１つのプロセッサと、メモリとを備えるコンピュータチップを提供し、前記プロセッサは、前記メモリ内のコードを実行し、前記コードが実行されると、前記第１又は第２の発明におけるページング方法の端末デバイスによって実行される各処理を実行する。
【００３３】
第９の態様は、入力インタフェースと、出力インタフェースと、少なくとも１つのプロセッサと、メモリとを備えるコンピュータチップを提供し、前記プロセッサは、前記メモリ内のコードを実行し、前記コードが実行されると、前記第１又は第２の発明におけるページング方法のネットワークデバイスによって実行される各処理を実行する。
【００３４】
第１０の態様は、上記ネットワークデバイスと端末デバイスとを備えた通信システムである。
【図面の簡単な説明】
【００３５】
【図１】本発明の応用シーンの模式図である。
【図２】本発明の実施例におけるページングメッセージ占有された周波数領域リソースの概略ブロック図である。
【図３】本発明の実施例におけるページングのための方法の概略ブロック図である。
【図４】本発明の実施例におけるページングメッセージの送信タイミングの概略ブロック図である。
【図５】本発明の実施例におけるネットワークデバイスの概略ブロック図である。
【図６】本発明の実施例における他のネットワークデバイスの概略ブロック図である。
【図７】本発明の実施例における端末デバイスの概略ブロック図である。
【図８】本発明の実施例における他の端末デバイスの概略ブロック図である。
【発明を実施するための形態】
【００３６】
図１は本発明の実施例における応用シーンの模式図である。
【００３７】
図１に示すように、通信システム１００は、端末デバイス１１０と、ネットワークデバイス１２０とを含む。ネットワークデバイス１２０は、エアポートを通じて端末デバイス１１０と通信する。端末デバイス１１０とネットワークデバイス１２０との間でマルチサービス伝送がサポートされる。
【００３８】
発明の実施例は、通信システム１００を例に挙げて説明したが、本発明の実施例は、これに限定されない。つまり、本発明の実施例に係る技術的解決策は、例えば、移動通信システム( Ｇｌｏｂａｌ Ｓｙｓｔｅｍ ｏｆ Ｍｏｂｉｌｅ Ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ)システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ Ｔｅｒｍ Ｅｖｏｌｕｔｉｏｎ、ＬＴＥ )システム、ＬＴＥ時分割複信( Ｔｉｍｅ Ｄｉｖｉｓｉｏｎ Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )などの様々な通信システムに適用可能である。
【００３９】
本発明は、ネットワークデバイス及び端末デバイスを結合し、各実施例を説明する。
【００４０】
ここで、ネットワークデバイス１２０は、ネットワーク側で信号を送信または受信するために使用される任意のエンティティを指し得る。例えば、マシンタイプ通信( ＭＴＣ )のユーザ機器、ＧＳＭ又はＣＤＭＡにおける基地局( Ｂａｓｅ Ｔｒａｎｓｃｅｉｖｅｒ Ｓｔａｔｉｏｎ、ＢＴＳ )、ＷＣＤＭＡにおける基地局( ＮｏｄｅＢ )、ＬＴＥにおける発展型基地局( Ｅｖｏｌｕｔｉｏｎａｌ Ｎｏｄｅ Ｂ、ｅＮＢ又はｅＮｏｄｅＢ )、５Ｇネットワークにおける基地局機器等であってもよい。
【００４１】
端末デバイス１１０は、任意の端末デバイスであってよい。具体的には、端末デバイス１１０は、１つまたは複数のコアネットワーク( Ｃｏｒｅ Ｎｅｔｗｏｒｋ )と、ワイヤレス・アクセス・ネットワーク( Ｒａｄｉｏ Ａｃｃｅｓｓ Ｎｅｔｗｏｒｋ、ＲＡＮ )を介して通信し、アクセス端末、ユーザ機器( Ｕｓｅｒ Ｅｑｕｉｐｍｅｎｔ、ＵＥ )、ユーザ機器、ユーザ局、移動局、リモート端末、モバイルデバイス、ユーザ端末、ワイヤレス通信デバイス、ユーザエージェント、またはユーザ装置とも呼ばれ得る。例えば、携帯電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、および５Ｇネットワークにおける端末デバイスなどであり得る。
【００４２】
通信システム１００が５Ｇ ( Ｎｅｗ Ｒａｄｉｏ、ＮＲ )通信システムを含む場合、例えば、５Ｇ通信システム及び第１通信システムからなるハイブリッド展開シナリオ等が理解され得る。ここで、当該第１の通信システムは、どのような通信システムであってもよい。例えば、ロングタームエボリューション( Ｌｏｎｇ Ｔｅｒｍ Ｅｖｏｌｕｔｉｏｎ、ＬＴＥ )システム、ＬＴＥ時分割複信( Ｔｉｍｅ Ｄｉｖｉｓｉｏｎ Ｄｕｐｌｅｘ、ＴＤＤ )、ユニバーサル移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )等が挙げられる。
【００４３】
ここで、５Ｇ ＮＲのユーザデバイス( Ｕｓｅｒ Ｅｑｕｉｐｍｅｎｔ、ＵＥ )は、ロングタームエボリューション( Ｌｏｎｇ Ｔｅｒｍ Ｅｖｏｌｕｔｉｏｎ、ＬＴＥ )のＵＥと同様に、まずコアネットワークにアタッチ登録され、その後、コアネットワークにＵＥのコンテキスト情報が存在し、そのうちの１つはロケーションエリア情報( ＴＡ ｌｉｓｔ )であり、ＵＥのページングが存在する場合、コアネットワークは、ＴＡ ｌｉｓｔの所在の全ての基地局においてページングメッセージを送信し、基地局は、基地局の下の全てのセルにおいてＵＥのページングをトリガする。したがって、１つのＵＥのページング範囲は、少なくとも１つのＴＡ ｌｉｓｔ範囲内の全てのセルでページングメッセージを送信する。
【００４４】
しかし、５Ｇ ＮＲでは、セルがマルチビーム（ｂｅａｍ）形式をとるので、ＵＥにページングするためには、ページングメッセージを各セルの各ビームで送信しなければならない。また、高周波で構成される１セルに対しては、ビームが多くなり、例えば、ビームが６４である場合、１セル内のページングは６４回の送信が必要となり、ネットワークのシグナリング負荷が増大する。さらに、上記の問題を解決するために、ＮＲ検討バージョンＲ１５では、広帯域キャリア( ｗｉｄｅｂａｎｄ ｃａｒｒｉｅｒ )が、広いシステム帯域幅である。各ＮＲキャリアの最大チャネル帯域幅は、低い周波数１００ ＭＨｚ、高い周波数４００ ＭＨｚ、そして１００ Ｍｈｚ / ４００ Ｍｈｚチャネル帯域幅が連続している。ＵＥが広帯域キャリア上で動作している場合、ＵＥの電力消費は非常に大きい。したがって、ＵＥの無線周波数( ＲＦ )帯域幅は、ＵＥの実際のスループットに応じて調整され得る。同時に、ＵＥのコストを考えると、ＵＥの実際にサポートされる最大無線周波数帯域幅は、システムによってサポートされる帯域幅よりも小さく、すなわち、広帯域キャリア（ ｗｉｄｅｂａｎｄ ｃａｒｒｉｅｒ ）よりも小さい。したがって、広帯域キャリア（ ｗｉｄｅｂａｎｄ carrier )全体にわたって複数の同期情報ブロック( Ｓｙｎｃｈｒｏｎｉｚａｔｉｏｎ Ｓｉｇｎａｌ Ｂｌｏｃｋ、ＳＳＢ )が送信され、異なるＵＥのアクセス要件を満たす。例えば、図２に示すように、現在の帯域幅キャリアにはＳＳＢ１、ＳＳＢ２が含まれているので、ＵＥのページングが存在する場合、ネットワークデバイスは、ＳＳＢ１、ＳＳＢ２が位置する周波数領域リソース上でのみ端末デバイスのページングメッセージを送信することができ、ネットワークのシグナリングロードを低減することができる。
【００４５】
図２に示す技術案において、異なるＵＥが異なるＳＳＢを選択して常駐するので、ネットワーク側は、ＵＥがどのＳＳＢに常駐しているかを知らないことが分かる。このため、ネットワーク側は、ＵＥに対するページングメッセージを送信する際に、全てのＳＳＢ上で当該ＵＥに対するページングメッセージを送信することになり、上述した技術案には依然として余分な負荷がかかる。
【００４６】
本発明の実施例では、上記技術的課題に存在する余分な負荷を解決するために、現在の帯域キャリアの複数のＳＳＢの中から目標ＳＳＢを決定することにより、ネットワークデバイスが目標ＳＳＢが存在する周波数領域位置のみで端末デバイスにページングメッセージを送信するため、ネットワーク側でのページングメッセージの送信の負荷をさらに低減することができる。
【００４７】
図３は本発明の実施例におけるページングのための方法のフローチャートである。
【００４８】
図３に示すように、当該方法は、２１０〜２３０を含む。
【００４９】
２１０において、ネットワークデバイスが現在帯域キャリアの複数のＳＳＢから目標ＳＳＢを確定する。
【００５０】
２２０において、端末デバイスが現在帯域キャリアの複数のＳＳＢから目標ＳＳＢを確定する。
【００５１】
２３０において、ネットワークデバイスは、当該目標ＳＳＢの存在する周波数領域位置において、当該端末デバイスに当該端末デバイスのページングメッセージを送信する。
【００５２】
具体的には、ネットワークデバイスの場合、ネットワークデバイスは、現在の帯域幅キャリアの複数の同期情報ブロック( ＳＳＢ )において、目標ＳＳＢを決定し、そして、ネットワークデバイスは、目標ＳＳＢが存在する周波数領域位置において、端末デバイスのページングメッセージを端末デバイスに送信する。端末デバイスは、現在の帯域幅キャリアの複数の同期情報ブロック( ＳＳＢ )において、目標ＳＳＢを決定し、そして、端末デバイスは、ネットワークデバイスから送信された端末デバイスのページングメッセージを、ＳＳＢが存在する周波数領域で受信する。
【００５３】
ある実施例において、当該ネットワークデバイスは、以下の式によって当該目標ＳＳＢのインデックスを確定し、Ｉ＝ＵＥ−ＩＤ ｍｏｄ Ｍである。ここで、当該ｍｏｄがモジュロ演算を示し、当該Ｉが当該目標ＳＳＢのインデックスであり、当該ＵＥ−ＩＤは、当該端末デバイスの識別子又は当該端末デバイスの識別子を入力とする演算結果を示し、当該Ｍが当該複数のＳＳＢの数である。さらに、当該ネットワークデバイスが現在帯域キャリアの複数の同期情報ブロックＳＳＢから目標ＳＳＢを確定する前に、当該ネットワークデバイスは、当該端末デバイスに、当該Ｍ、当該広帯域キャリアの各ＳＳＢのインデックス、当該広帯域キャリアの各ＳＳＢの周波数領域位置のうちの少なくとも１つを放送する。任意選択で、当該周波数領域位置は、絶対無線周波数チャネル番号 （Ａｂｓｏｌｕｔｅ Ｒａｄｉｏ Ｆｒｅｑｕｅｎｃｙ Ｃｈａｎｎｅｌ Ｎｕｍｂｅｒ、ＡＲＦＣＮ ）、又は、当該周波数領域位置は、現在のＳＳＢの周波数領域の位置に対するオフセット位置である。
【００５４】
なお、ＵＥ−ＩＤは、端末デバイスを特定できる任意の情報であってもよい。例えば、該ＵＥ−ＩＤは、該端末デバイスの一時的加入者識別子( Ｓ−ＴＭＳＩ )であってもよく、該ＵＥ−ＩＤは、該端末デバイスの国際移動加入者識別子( Ｉｎｔｅｒｎａｔｉｏｎａｌ Ｍｏｂｉｌｅ Ｓｕｂｓｃｒｉｂｅｒ Ｉｄｅｎｔｉｔｙ、ＩＭＳＩ )であってもよい。他の代替的な実施例において、ＵＥ−ＩＤは、端末デバイスの一時的なＩＭＳＩ ( Ｔｅｍｐｏｒａｒｙ ＩＭＳＩ、ＴＩＭＳＩ )、パケットドメイン−ユーザ一時的な識別子（ Ｐａｃｋｅｔ−Ｔｅｍｐｏｒａｒｙ Ｍｏｂｉｌｅ Ｓｕｂｓｃｒｉｂｅｒ Ｉｄｅｎｔｉｔｙ、Ｐ−ＴＭＳＩ )又は国際モバイルデバイス識別子（ Ｉｎｔｅｒｎａｔｉｏｎａｌ Ｍｏｂｉｌｅ Ｅｑｕｉｐｍｅｎｔ Ｉｄｅｎｔｉｔｙ、ＩＭＥＩ )等であってもよい。
【００５５】
他の実施例において、当該ネットワークデバイスは、システムフレーム番号ＳＦＮ１を確定し、次に、当該ネットワークデバイスは、当該ＳＦＮ１と以下の式によって当該目標ＳＳＢのインデックスを確定し、Ｉ＝ ＳＦＮ１ ｍｏｄ Ｍであり、ここで、当該ｍｏｄがモジュロ演算を示し、当該Ｉが当該目標ＳＳＢのインデックスであり、当該Ｍが当該複数のＳＳＢの数であり、さらに、当該ネットワークデバイスは、当該ＳＦＮ１において、当該端末デバイスに当該ページングメッセージを送信する。
【００５６】
具体的には、当該ネットワークデバイスは、ＳＦＮ２を決定した後、ＳＦＮ２に基づいてＳＦＮ１を決定することができる。具体的には、上記式におけるシステムフレーム番号であるＳＦＮ２は、ＵＥのページングタイミング（Ｐａｇｉｎｇ Ｏｃｃａｓｉｏｎ、ＰＯ )におけるページングフレーム( Ｐａｇｉｎｇ Ｆｒａｍｅ、ＰＦ )、すなわち、ページングタイミングの開始時点におけるＳＦＮ ( Ｓｙｓｔｅｍ Ｆｒａｍｅ Ｎｕｍｂｅｒ、ＳＦＮ )であると理解され得る。本発明の実施例において、アイドル状態におけるＵＥの電力消費を低減するために、ＵＥは、非連続受信方式( Ｄｉｓｃｏｎｔｉｎｕｏｕｓ Ｒｅｃｅｐｔｉｏｎ、ＤＲＸ )を用いてページングメッセージを受信し、アイドル状態におけるＵＥは、特定のサブフレーム( １ ｍｓ )において物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )をリッスンし、これらの特定のサブフレーム( １ ｍｓ )は、ページングタイミング( Ｐａｇｉｎｇ Ｏｃｃａｓｉｏｎ、ＰＯ )と呼ばれ、これらの特定のサブフレーム( １ ｍｓ )が位置する無線フレーム( １０ ｍｓ )は、ページングフレーム( Ｐａｇｉｎｇ Ｆｒａｍｅ、ＰＦ )と呼ばれる。したがって、ＳＦＮ１は、当該目標ＳＳＢのインデックスを決定するためのシステムフレーム番号( Ｓｙｓｔｅｍ Ｆｒａｍｅ Ｎｕｍｂｅｒ、ＳＦＮ )として理解され得る。
【００５７】
実際の動作では、端末デバイスがＰＦ及びＰＯの特定の位置を計算した後、ＵＥは、当該位置のＰＤＣＣＨのリスニングを開始し、ページング無線ネットワーク一時識別子が見つかった場合( Ｐａｇｉｎｇ Ｒａｄｉｏ Ｎｅｔｗｏｒｋ Ｔｅｍｐｏｒａｒｙ Ｉｄｅｎｔｉｆｉｅｒ、Ｐ−ＲＮＴＩ )、ＰＤＣＣＨによって示されるＲＢ割り当て及び変調符号化方式( ＭＣＳ )に従って、同一サブフレームの物理下り共有チャネル( Ｐｈｙｓｉｃａｌ Ｄｏｗｎｌｉｎｋ Ｓｈａｒｅｄ Ｃｈａｎｎｅｌ、ＰＤＳＣＨ )上からページングメッセージを取得する。ページングメッセージが自ＵＥのアイデンティティ識別子( ＩＤ )を含む場合、ページング応答を開始し、そうでない場合、対応する位置のＰＤＣＣＨをリッスンすることが、時間間隔Ｔの後に継続される。
【００５８】
例として、当該ネットワークデバイスは、以下の式によってシステムフレーム番号ＳＦＮ２を確定し、
ＳＦＮ２ ｍｏｄ Ｔ＝（Ｔ ｄｉｖ Ｎ）＊（ＵＥ−ＩＤ ｍｏｄ Ｎ）である。
【００５９】
ここで、当該ｄｉｖは整除演算を表し、該ｍｏｄはモジュロ演算を表し、該Ｔは該端末デバイスが現在使用している非連続受信方式ＤＲＸ周期であり、該ＵＥ−ＩＤは該端末デバイスの識別子又は該端末デバイスの識別子を入力とする演算結果を表し、該Ｎはネットワーク側の構成パラメータ又はネットワーク側の構成パラメータを入力とする演算結果である。例えば、Ｎ＝ｍｉｎ（Ｔ、ｎＢ）を用い、ここで、ＴはＤＲＸ周期であり、ｎＢはネットワーク側設定パラメータである。
【００６０】
例として、当該ネットワークデバイスは、当該ＳＦＮ２を当該ＳＦＮ１として確定する。
【００６１】
他の例として、ＰＯが存在する位置がＳＳＢに近くするように、例えば、ＰＯがＳＳＢの直後に位置し、この場合、ＳＳＢで同期をとった後に端末デバイスがページングメッセージを直接受信できるようにするためには、上記式で計算したＰＦのＳＦＮを、直前のＳＳＢが存在するＳＦＮの後の少なくとも１つＳＦＮが間隔されたＳＦＮにシフトして最後のＰＦの位置とする必要がある。ここで、少なくとも１つＳＦＮは、システム固定でもよいし、ネットワーク側がシステム放送で構成してもよい。すなわち、図４に示すように、当該ネットワークデバイスは、ＳＦＮ２より前で最も近いＳＳＢ０が位置するＳＦＮ３を決定し、ＳＦＮ３より少なくとも１つのＳＦＮを後方にオフセットしたＳＦＮをＳＦＮ１として決定することができる。任意選択で、上記の少なくとも１つのＳＦＮの個数をシステムで設定するか、又は、ネットワークデバイスシステムから端末デバイスにブロードキャストする。
【００６２】
なお、上記のＩ＝ ＳＦＮ１ ｍｏｄ Ｍによって目標ＳＳＢのインデックスを確定し、当該ネットワークデバイスが当該ＳＦＮ１において当該端末デバイスに当該ページングメッセージを送信することは、例示なものである。例えば、他の実施例において、当該ネットワークデバイスは、Ｉ＝ＵＥ−ＩＤ ｍｏｄ Ｍに基づいて目標ＳＳＢのインデックスを確定し、当該ＳＦＮ１に当該端末デバイスに当該ページングメッセージを送信してもよい。
【００６３】
図５は本発明の実施例におけるネットワークデバイスのブロック図である。
【００６４】
図５に示すように、当該ネットワークデバイス３００は、確定ユニット３１０及び送受信ユニット３２０を含む。
【００６５】
確定ユニット３１０は、現在帯域キャリアの複数の同期情報ブロックＳＳＢから目標ＳＳＢを確定するように構成され、送受信ユニット３２０は、当該目標ＳＳＢの存在する周波数領域位置において、端末デバイスに当該端末デバイスのページングメッセージを送信するように構成される。
【００６６】
任意選択で、確定ユニット３１０は、具体的に、以下の式によって、当該目標ＳＳＢのインデックスを確定するように構成され、
Ｉ＝ＵＥ−ＩＤ ｍｏｄ Ｍである。
【００６７】
ここで、当該ｍｏｄがモジュロ演算を示し、当該Ｉが当該目標ＳＳＢのインデックスであり、当該ＵＥ−ＩＤが当該端末デバイスの識別子又は当該端末デバイスの識別子を入力とする演算結果を示し、当該Ｍが当該複数のＳＳＢの数である。
【００６８】
任意選択で、当該ＵＥ−ＩＤは、当該端末デバイスの一時的加入者識別子Ｓ−ＴＭＳＩ、又は、当該ＵＥ−ＩＤは、当該端末デバイス的国際移動加入者識別子ＩＭＳＩである。
【００６９】
任意選択で、確定ユニット３１０が現在帯域キャリアの複数の同期情報ブロックＳＳＢから目標ＳＳＢを確定する前に、当該送受信ユニット３２０は、さらに、当該Ｍ、当該広帯域キャリアの各ＳＳＢのインデックス、当該広帯域キャリアの各ＳＳＢの周波数領域位置のうちの少なくとも１つの情報を当該端末デバイスに放送するように構成される。
【００７０】
任意選択で、当該周波数領域位置は、絶対無線周波数チャネル番号ＡＲＦＣＮであり、又は、当該周波数領域位置は、現在のＳＳＢの周波数領域の位置に対するオフセット位置である。
【００７１】
任意選択で、確定ユニット３１０は、具体的に、
システムフレーム番号ＳＦＮ１を確定し、当該ＳＦＮ１と以下の式によって当該目標ＳＳＢのインデックスを確定するように構成され、
Ｉ＝ ＳＦＮ１ ｍｏｄ Ｍである。
【００７２】
ここで、当該ｍｏｄがモジュロ演算を示し、当該Ｉが当該目標ＳＳＢのインデックスであり、当該Ｍが当該複数のＳＳＢの数であり、当該送受信ユニット３２０は、具体的に、
当該ＳＦＮ１において、当該端末デバイスに当該ページングメッセージを送信するように構成される。
【００７３】
任意選択で、確定ユニット３１０は、さらに、以下の式によってシステムフレーム番号ＳＦＮ２を確定し、
当該ＳＦＮ２に基づいて当該ＳＦＮ１を確定するように構成され、
ＳＦＮ２ ｍｏｄ Ｔ＝（Ｔ ｄｉｖ Ｎ）＊（ＵＥ−ＩＤ ｍｏｄ Ｎ）である。
【００７４】
ここで、当該ｄｉｖは整除演算を表し、該ｍｏｄはモジュロ演算を表し、該Ｔは該端末デバイスが現在使用している非連続受信方式ＤＲＸ周期であり、該ＵＥ−ＩＤは該端末デバイスの識別子又は該端末デバイスの識別子を入力とする演算結果を表し、該Ｎはネットワーク側の構成パラメータ又はネットワーク側の構成パラメータを入力とする演算結果である。
【００７５】
任意選択で、確定ユニット３１０は、具体的に、当該ＳＦＮ２を当該ＳＦＮ１として確定するように構成される。
【００７６】
任意選択で、確定ユニット３１０は、具体的に、前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定するように構成される。
【００７７】
任意選択で、前記少なくとも１つのＳＦＮの数がシステムにより設定され、又は、前記少なくとも１つのＳＦＮの数が前記ネットワークデバイスのシステムにより前記端末デバイスに放送される。
【００７８】
本発明の実施例において、確定ユニット３１０はプロセッサによって実現され、送受信ユニット３２０は送受信機によって実現されてもよい。図６に示すように、ネットワークデバイス４００は、プロセッサ４１０、送受信機４２０、及びメモリ４３０を含み得る。ここで、メモリ４３０は、指示情報を記憶するために使用されてもよく、プロセッサ４１０が実行するコード、命令などを記憶するために使用されてもよい。ネットワークデバイス４００の各構成要素は、データバスの他に、電源バス、制御バス、ステータス信号バス等のバスシステムにより接続されている。図６に示すネットワークデバイス４００は、上述の方法の実施例においてネットワークデバイスにより実施される様々なプロセスを実施することができ、重複を避けるためにここでは繰り返し説明しない。
【００７９】
図７は本発明の実施例における端末デバイスのブロック図である。
【００８０】
図７に示すように、当該端末デバイスは、確定ユニット５１０及び送受信ユニット５２０を含む。
【００８１】
確定ユニット５１０は、現在帯域キャリアの複数の同期情報ブロックＳＳＢから目標ＳＳＢを確定するように構成され、送受信ユニット５２０は、当該目標ＳＳＢの存在する周波数領域位置において、ネットワークデバイスにより送信された当該端末デバイスのページングメッセージを受信するように構成される。
【００８２】
任意選択で、確定ユニット５１０は、以下の式によって当該目標ＳＳＢ的インデックスを確定するように構成され、
Ｉ＝ＵＥ−ＩＤ ｍｏｄ Ｍである。
【００８３】
ここで、当該ｍｏｄがモジュロ演算を示し、当該Ｉが当該目標ＳＳＢのインデックスであり、当該ＵＥ−ＩＤが当該端末デバイスの識別子又は当該端末デバイスの識別子を入力とする演算結果を示し、当該Ｍが当該複数のＳＳＢの数である。
【００８４】
任意選択で、当該ＵＥ−ＩＤが当該端末デバイスの一時的加入者識別子Ｓ−ＴＭＳＩであり、又は、当該ＵＥ−ＩＤが当該端末デバイスの国際移動加入者識別子ＩＭＳＩである。
【００８５】
任意選択で、当該端末デバイスが現在帯域キャリアの複数の同期情報ブロックＳＳＢから目標ＳＳＢを確定する前に、当該送受信ユニット５２０は、さらに、当該ネットワークデバイスにより放送された、当該Ｍ、当該広帯域キャリアの各ＳＳＢのインデックス、当該広帯域キャリアの各ＳＳＢの周波数領域位置のうちの少なくとも１つを受信するように構成される。
【００８６】
任意選択で、当該周波数領域位置が絶対無線周波数チャネル番号ＡＲＦＣＮであり、又は、当該周波数領域位置が現在のＳＳＢの周波数領域の位置に対するオフセット位置である。
【００８７】
任意選択で、確定ユニット５１０は、具体的に、システムフレーム番号ＳＦＮ１を確定し、当該ＳＦＮ１と以下の式によって、当該目標ＳＳＢのインデックスを確定するように構成され、
Ｉ＝ ＳＦＮ１ ｍｏｄ Ｍである。
【００８８】
ここで、当該ｍｏｄがモジュロ演算を示し、当該Ｉが当該目標ＳＳＢのインデックスであり、当該Ｍが当該複数のＳＳＢの数であり、当該送受信ユニットは、さらに、
当該ＳＦＮ１において、当該ネットワークデバイスにより送信された当該ページングメッセージを受信するように構成される。
【００８９】
任意選択で、確定ユニット５１０は、具体的に、以下の式によってシステムフレーム番号ＳＦＮ２を確定し、
当該ＳＦＮ２に基づいて当該ＳＦＮ１を確定するように構成され、
ＳＦＮ２ ｍｏｄ Ｔ＝（Ｔ ｄｉｖ Ｎ）＊（ＵＥ−ＩＤ ｍｏｄ Ｎ）である。
【００９０】
ここで、当該ｄｉｖは整除演算を表し、当該ｍｏｄはモジュロ演算を表し、該Ｔは該端末デバイスが現在使用している非連続受信方式ＤＲＸ周期であり、該ＵＥ−ＩＤは該端末デバイスの識別子又は該端末デバイスの識別子を入力とする演算結果を表し、該Ｎはネットワーク側の構成パラメータ又はネットワーク側の構成パラメータを入力とする演算結果である。
【００９１】
任意選択で、確定ユニット５１０は、具体的に、当該ＳＦＮ２を当該ＳＦＮ１として確定するように構成される。
【００９２】
任意選択で、確定ユニット５１０は、具体的に、前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定するように構成される。
【００９３】
なお、本発明の実施の形態では、確定ユニット５１０はプロセッサにより実現され、送受信ユニット５２０は送受信機により実現されてもよい。図８に示すように、端末デバイス６００は、プロセッサ６１０、送受信機６２０、及びメモリ６３０を含む。ここで、メモリ６３０は、指示情報を記憶するために使用されてもよく、プロセッサ６１０が実行するコード、命令などを記憶するために使用されてもよい。端末デバイス６００の各構成要素は、データバスの他に、電源バス、制御バス、ステータス信号バス等のバスシステムにより接続されている。図８に示す端末デバイス６００は、上述の方法の実施例において端末デバイスにより実現される各処理を実現することができるが、重複を避けるため、ここではその説明を省略する。
【００９４】
任意選択で、前記少なくとも１つのＳＦＮの数がシステムにより設定され、又は、前記少なくとも１つのＳＦＮの数が前記ネットワークデバイスのシステムにより前記端末デバイスに放送される。
【００９５】
実施において、本発明の実施例における方法の実施例のステップは、プロセッサにおけるハードウェアの集積論理回路またはソフトウェア形態の命令によって実行されてもよい。より具体的には、本発明の実施例に関連して開示された方法のステップは、ハードウェアデコーディングプロセッサによって実行されることによって直接実施され得るか、または、デコーディングプロセッサ内のハードウェアおよびソフトウェアモジュールの組み合わせによって実行されることによって実施され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【００９６】
ここで、本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。また、汎用プロセッサはマイクロプロセッサであってもよく、また、汎用プロセッサは汎用プロセッサであれば何でもよい。
【００９７】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【００９８】
最後に、本発明の実施例及び添付の特許請求の範囲で使用される用語は、特定の実施例を説明する目的のためだけであり、本発明の実施例を限定することを意図していないことに留意されたい。
【００９９】
例えば、本発明の実施例及び添付の特許請求の範囲で使用される単数形の「１つ」、「上記」、及び「当該」は、文脈が他の意味を明確に示しない限り、複数形も含むことを意図している。
【０１００】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の実施例の範囲から逸脱するものと考えられるべきではない。
【０１０１】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１０２】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１０３】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、各手段の一部又は全部を、必要に応じて選択して、実施することもできる。
【０１０４】
また、本発明の実施の形態における各機能部は、１つの処理部に集積されていてもよいし、各部は、物理的に単独で存在していてもよいし、２つ以上の部が１つの処理部に集積されていてもよい。
【０１０５】
ソフトウェア機能単位で実現され、独立した製品として販売又は使用される場合、コンピュータ読み取り可能な記録媒体に格納されてもよい。このような理解に基づいて、本発明の実施例の技術的思想の本質または従来技術に寄与する部分、または技術的思想の部分は、１つのコンピュータ装置(パーソナルコンピュータ、サーバ、またはネットワークデバイスなどであってもよい)に本発明の実施例に係る方法のステップの全部または一部を実行させるための複数の命令を含む１つの記憶媒体に記憶されたソフトウェア製品の形態で具現化されてもよい。また、前記記憶媒体としては、U-ディスク、リムーバブルハードディスク、リードオンリメモリ、ランダムアクセスメモリ、磁気ディスク、光ディスク等のプログラムコードを記憶できる種々の媒体を用いることができる。
【０１０６】
以上、本発明の実施例を具体的に説明したが、本発明の実施例の保護範囲はこれに限定されるものではなく、本発明の実施例の保護範囲内で当業者であれば容易に変更または置換を想到できるものであり、それらも本発明の実施例の保護範囲に包含されるものである。したがって、本発明の実施例の保護範囲は、特許請求の範囲の保護範囲を基準とするべきである。
【図１】
2021520656.tif 000003
【図２】
2021520656.tif 000004
【図３】
2021520656.tif 000005
【図４】
2021520656.tif 000006
【図５】
2021520656.tif 000007
【図６】
2021520656.tif 000008
【図７】
2021520656.tif 000009
【図８】
2021520656.tif 000010
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
ネットワークデバイスが現在帯域キャリアの複数の同期情報ブロックＳＳＢから目標ＳＳＢを確定することと、
前記ネットワークデバイスが前記目標ＳＳＢの存在する周波数領域の位置で、端末デバイスに前記端末デバイスのページングメッセージを送信することとを含む
ことを特徴とするページングのための方法。
【請求項２】
前記ネットワークデバイスが現在帯域キャリアの複数の同期情報ブロックＳＳＢから目標ＳＳＢを確定することは、
前記ネットワークデバイスが以下の式によって前記目標ＳＳＢのインデックスを確定することを含み、
Ｉ＝ＵＥ−ＩＤ  ｍｏｄ  Ｍ
記ｍｏｄがモジュロ演算を示し、前記Ｉが前記目標ＳＳＢのインデックスであり、前記ＵＥ−ＩＤが前記端末デバイスの識別子又は前記端末デバイスの識別子を入力とする演算結果を示し、前記Ｍが前記複数のＳＳＢの数である
ことを特徴とする請求項１に記載のページングのための方法。
【請求項３】
前記ＵＥ−ＩＤが前記端末デバイスの一時的加入者識別子Ｓ−ＴＭＳＩであり、又は、前記ＵＥ−ＩＤが前記端末デバイスの国際移動加入者識別子ＩＭＳＩである
ことを特徴とする請求項２に記載のページングのための方法。
【請求項４】
前記ネットワークデバイスが現在帯域キャリアの複数の同期情報ブロックＳＳＢから目標ＳＳＢを確定する前に、前記方法は、さらに、
前記ネットワークデバイスが前記端末デバイスに、前記Ｍ、前記広帯域キャリアの各ＳＳＢのインデックス、前記広帯域キャリアの各ＳＳＢの周波数領域位置のうちの少なくとも１つの情報を放送することを含む
ことを特徴とする請求項２又は３に記載のページングのための方法。
【請求項５】
前記周波数領域位置が絶対無線周波数チャネル番号ＡＲＦＣＮであり、又は、前記周波数領域位置が現在のＳＳＢの周波数領域の位置に対するオフセット位置である
ことを特徴とする請求項４に記載のページングのための方法。
【請求項６】
前記ネットワークデバイスが現在帯域キャリアの複数の同期情報ブロックＳＳＢから目標ＳＳＢを確定することは、
前記ネットワークデバイスがシステムフレーム番号ＳＦＮ１を確定することと、
前記ネットワークデバイスが前記ＳＦＮ１と以下の式によって、前記目標ＳＳＢのインデックスを確定することとを含み、
Ｉ＝  ＳＦＮ１  ｍｏｄ  Ｍ
前記ｍｏｄがモジュロ演算を示し、前記Ｉが前記目標ＳＳＢのインデックスであり、前記Ｍが前記複数のＳＳＢの数であり、
前記方法は、さらに、
前記ネットワークデバイスが前記ＳＦＮ１において、前記端末デバイスに前記ページングメッセージを送信することを含む
ことを特徴とする請求項１に記載のページングのための方法。
【請求項７】
前記ネットワークデバイスがシステムフレーム番号ＳＦＮ１を確定することは、
前記ネットワークデバイスが以下の式によってシステムフレーム番号ＳＦＮ２を確定することと、
前記ネットワークデバイスが前記ＳＦＮ２に基づいて前記ＳＦＮ１を確定することとを含み、
ＳＦＮ２  ｍｏｄ  Ｔ＝（Ｔ  ｄｉｖ  Ｎ）＊（ＵＥ−ＩＤ  ｍｏｄ  Ｎ）
ここで、前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である
ことを特徴とする請求項６に記載のページングのための方法。
【請求項８】
前記ネットワークデバイスが前記ＳＦＮ２に基づいて前記ＳＦＮ１を確定することは、
前記ネットワークデバイスが前記ＳＦＮ２を前記ＳＦＮ１として確定することを含む
ことを特徴とする請求項７に記載のページングのための方法。
【請求項９】
前記ネットワークデバイスが前記ＳＦＮ２に基づいて前記ＳＦＮ１を確定することは、
前記ネットワークデバイスが前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定することを含む
ことを特徴とする請求項７に記載のページングのための方法。
【請求項１０】
ＳＦＮ１は、ＳＦＮ３を後方に少なくとも1つＳＦＮオフセットさせて決定され、
ＳＦＮ３は、ＳＦＮ２よりも前で、かつ、最も近いＳＳＢが位置するＳＦＮである、
ことを特徴とする請求項７に記載のページングのための方法。
【請求項１１】
前記少なくとも１つのＳＦＮの数がシステムにより設定され、又は、前記少なくとも１つのＳＦＮの数が前記ネットワークデバイスのシステムにより前記端末デバイスに放送される
ことを特徴とする請求項９又は１０に記載のページングのための方法。
【請求項１２】
端末デバイスが現在帯域キャリアの複数の同期情報ブロックＳＳＢから目標ＳＳＢを確定することと、
前記端末デバイスが前記目標ＳＳＢの存在する周波数領域位置で、ネットワークデバイスにより送信された前記端末デバイスのページングメッセージを受信することとを含む
ことを特徴とするページングのための方法。
【請求項１３】
前記端末デバイスが現在帯域キャリアの複数の同期情報ブロックＳＳＢから目標ＳＳＢを確定することは、
前記端末デバイスが以下の式によって前記目標ＳＳＢのインデックスを確定することを含み、
Ｉ＝ＵＥ−ＩＤ  ｍｏｄ  Ｍ
前記ｍｏｄがモジュロ演算を示し、前記Ｉが前記目標ＳＳＢのインデックスであり、前記ＵＥ−ＩＤが前記端末デバイスの識別子又は前記端末デバイスの識別子を入力とする演算結果を示し、前記Ｍが前記複数のＳＳＢの数である
ことを特徴とする請求項１２に記載のページングのための方法。
【請求項１４】
前記ＵＥ−ＩＤが前記端末デバイスの一時的加入者識別子Ｓ−ＴＭＳＩであり、又は、前記ＵＥ−ＩＤが前記端末デバイスの国際移動加入者識別子ＩＭＳＩである
ことを特徴とする請求項１３に記載のページングのための方法。
【請求項１５】
前記端末デバイスが現在帯域キャリアの複数の同期情報ブロックＳＳＢから目標ＳＳＢを確定する前に、前記方法は、さらに、
前記端末デバイスが前記ネットワークデバイスにより放送された、前記Ｍ、前記広帯域キャリアの各ＳＳＢのインデックス、前記広帯域キャリアの各ＳＳＢの周波数領域位置のうちの少なくとも１つの情報を受信するすることを含む
ことを特徴とする請求項１３又は１４に記載のページングのための方法。
【請求項１６】
前記周波数領域位置が絶対無線周波数チャネル番号ＡＲＦＣＮであり、又は、前記周波数領域位置が現在のＳＳＢの周波数領域の位置に対するオフセット位置である
ことを特徴とする請求項１５に記載のページングのための方法。
【請求項１７】
前記端末デバイスが現在帯域キャリアの複数の同期情報ブロックＳＳＢから目標ＳＳＢを確定することは、
前記端末デバイスがシステムフレーム番号ＳＦＮ１を確定することと、
前記端末デバイスが前記ＳＦＮ１と以下の式によって前記目標ＳＳＢのインデックスを確定することとを含み、
Ｉ＝  ＳＦＮ１  ｍｏｄ  Ｍ
前記ｍｏｄがモジュロ演算を示し、前記Ｉが前記目標ＳＳＢのインデックスであり、前記Ｍが前記複数のＳＳＢの数であり、
前記方法は、さらに、
前記端末デバイスが前記ＳＦＮ１において、前記ネットワークデバイスにより送信された前記ページングメッセージを受信することを含む
ことを特徴とする請求項１２に記載のページングのための方法。
【請求項１８】
前記端末デバイスがシステムフレーム番号ＳＦＮ１を確定することは、
前記端末デバイスが以下の式によってシステムフレーム番号ＳＦＮ２を確定することと、
前記端末デバイスが前記ＳＦＮ２に基づいて前記ＳＦＮ１を確定することとを含み、
ＳＦＮ２  ｍｏｄ  Ｔ＝（Ｔ  ｄｉｖ  Ｎ）＊（ＵＥ−ＩＤ  ｍｏｄ  Ｎ）
前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である
ことを特徴とする請求項１７に記載のページングのための方法。
【請求項１９】
前記端末デバイスが前記ＳＦＮ２に基づいて前記ＳＦＮ１を確定することは、
前記端末デバイスが前記ＳＦＮ２を前記ＳＦＮ１として確定することを含む
ことを特徴とする請求項１８に記載のページングのための方法。
【請求項２０】
前記端末デバイスが前記ＳＦＮ２に基づいて前記ＳＦＮ１を確定することは、
前記端末デバイスが前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定することを含む
ことを特徴とする請求項１８に記載のページングのための方法。
【請求項２１】
ＳＦＮ１は、ＳＦＮ３を後方に少なくとも1つＳＦＮオフセットさせて決定され、
ＳＦＮ３は、ＳＦＮ２よりも前で、かつ、最も近いＳＳＢが位置するＳＦＮである、
ことを特徴とする請求項１８に記載のページングのための方法。
【請求項２２】
前記少なくとも１つのＳＦＮの数がシステムにより設定され、又は、前記少なくとも１つのＳＦＮの数が前記ネットワークデバイスのシステムにより前記端末デバイスに放送される
ことを特徴とする請求項２０又は２１に記載のページングのための方法。
【請求項２３】
現在帯域キャリアの複数の同期情報ブロックＳＳＢから目標ＳＳＢを確定するように構成される確定ユニットと、
前記目標ＳＳＢの存在する周波数領域位置で、端末デバイスに前記端末デバイスのページングメッセージを送信するように構成される送受信ユニットとを含む
ことを特徴とするネットワークデバイス。
【請求項２４】
前記確定ユニットは、
以下の式によって前記目標ＳＳＢのインデックスを確定するように構成され、
Ｉ＝ＵＥ−ＩＤ  ｍｏｄ  Ｍ
前記ｍｏｄがモジュロ演算を示し、前記Ｉが前記目標ＳＳＢのインデックスであり、前記ＵＥ−ＩＤが前記端末デバイスの識別子又は前記端末デバイスの識別子を入力とする演算結果を示し、前記Ｍが前記複数のＳＳＢの数である
ことを特徴とする請求項２３に記載のネットワークデバイス。
【請求項２５】
前記ＵＥ−ＩＤが前記端末デバイスの一時的加入者識別子Ｓ−ＴＭＳＩであり、又は、前記ＵＥ−ＩＤが前記端末デバイスの国際移動加入者識別子ＩＭＳＩである
ことを特徴とする請求項２４に記載のネットワークデバイス。
【請求項２６】
前記確定ユニットが現在帯域キャリアの複数の同期情報ブロックＳＳＢから目標ＳＳＢを確定する前に、前記送受信ユニットは、さらに
前記端末デバイスに、前記Ｍ、前記広帯域キャリアの各ＳＳＢのインデックス、前記広帯域キャリアの各ＳＳＢの周波数領域位置のうちの少なくとも１つの情報を放送するように構成される
ことを特徴とする請求項２４又は２５に記載のネットワークデバイス。
【請求項２７】
前記周波数領域位置が絶対無線周波数チャネル番号ＡＲＦＣＮであり、又は、前記周波数領域位置が現在のＳＳＢの周波数領域の位置に対するオフセット位置である
ことを特徴とする請求項２６に記載のネットワークデバイス。
【請求項２８】
前記確定ユニットは、
システムフレーム番号ＳＦＮ１を確定し、
前記ＳＦＮ１と以下の式によって前記目標ＳＳＢのインデックスを確定するように構成され、
Ｉ＝  ＳＦＮ１  ｍｏｄ  Ｍ
前記ｍｏｄがモジュロ演算を示し、前記Ｉが前記目標ＳＳＢのインデックスであり、前記Ｍが前記複数のＳＳＢの数であり、
前記送受信ユニットは、
前記ＳＦＮ１において、前記端末デバイスに前記ページングメッセージを送信するように構成される
ことを特徴とする請求項２３に記載のネットワークデバイス。
【請求項２９】
前記確定ユニットは、
以下の式によってシステムフレーム番号ＳＦＮ２を確定し、
前記ＳＦＮ２に基づいて前記ＳＦＮ１を確定するように構成され、
ＳＦＮ２  ｍｏｄ  Ｔ＝（Ｔ  ｄｉｖ  Ｎ）＊（ＵＥ−ＩＤ  ｍｏｄ  Ｎ）
前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である
ことを特徴とする請求項２８に記載のネットワークデバイス。
【請求項３０】
前記確定ユニットは、
前記ＳＦＮ２を前記ＳＦＮ１として確定するように構成される
ことを特徴とする請求項２９に記載のネットワークデバイス。
【請求項３１】
前記確定ユニットは、
前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定するように構成される
ことを特徴とする請求項２９に記載のネットワークデバイス。
【請求項３２】
ＳＦＮ１は、ＳＦＮ３を後方に少なくとも1つＳＦＮオフセットさせて決定され、
ＳＦＮ３は、ＳＦＮ２よりも前で、かつ、最も近いＳＳＢが位置するＳＦＮである、
ことを特徴とする請求項２９に記載のページングのための方法。
【請求項３３】
前記少なくとも１つのＳＦＮの数がシステムにより設定され、又は、前記少なくとも１つのＳＦＮの数が前記ネットワークデバイスのシステムにより前記端末デバイスに放送される
ことを特徴とする請求項３１又は３２に記載のネットワークデバイス。
【請求項３４】
現在帯域キャリアの複数の同期情報ブロックＳＳＢから目標ＳＳＢを確定するように構成される確定ユニットと、
前記目標ＳＳＢの存在する周波数領域位置で、ネットワークデバイスにより送信された前記端末デバイスのページングメッセージを受信するように構成される送受信ユニットとを含む
ことを特徴とする端末デバイス。
【請求項３５】
前記確定ユニットは、
以下の式によって前記目標ＳＳＢのインデックスを確定するように構成され、
Ｉ＝ＵＥ−ＩＤ  ｍｏｄ  Ｍ
前記ｍｏｄがモジュロ演算を示し、前記Ｉが前記目標ＳＳＢのインデックスであり、前記ＵＥ−ＩＤが前記端末デバイスの識別子又は前記端末デバイスの識別子を入力とする演算結果を示し、前記Ｍが前記複数のＳＳＢの数である
ことを特徴とする請求項３４に記載の端末デバイス。
【請求項３６】
前記ＵＥ−ＩＤが前記端末デバイスの一時的加入者識別子Ｓ−ＴＭＳＩであり、又は、前記ＵＥ−ＩＤが前記端末デバイスの国際移動加入者識別子ＩＭＳＩである
ことを特徴とする請求項３５に記載の端末デバイス。
【請求項３７】
前記端末デバイスが現在帯域キャリアの複数の同期情報ブロックＳＳＢから目標ＳＳＢを確定する前に、前記端末デバイスは、
前記端末デバイスが前記ネットワークデバイスにより放送された、前記Ｍ、前記広帯域キャリアの各ＳＳＢのインデックス、前記広帯域キャリアの各ＳＳＢの周波数領域位置のうちの少なくとも１つの情報を受信する
ことを特徴とする請求項３５又は３６に記載の端末デバイス。
【請求項３８】
前記周波数領域位置が絶対無線周波数チャネル番号ＡＲＦＣＮであり、又は、前記周波数領域位置が現在のＳＳＢの周波数領域の位置に対するオフセット位置である
ことを特徴とする請求項３７に記載の端末デバイス。
【請求項３９】
前記確定ユニットは、
システムフレーム番号ＳＦＮ１を確定し、
前記ＳＦＮ１と以下の式によって前記目標ＳＳＢのインデックスを確定するように構成され、
Ｉ＝  ＳＦＮ１  ｍｏｄ  Ｍ
前記ｍｏｄがモジュロ演算を示し、前記Ｉが前記目標ＳＳＢのインデックスであり、前記Ｍが前記複数のＳＳＢの数であり、
前記送受信ユニットは、さらに、
前記ＳＦＮ１において、前記ネットワークデバイスにより送信された前記ページングメッセージを受信するように構成される
ことを特徴とする請求項３４に記載の端末デバイス。
【請求項４０】
前記確定ユニットは、
以下の式によってシステムフレーム番号ＳＦＮ２を確定し、
前記ＳＦＮ２に基づいて前記ＳＦＮ１を確定するように構成され、
ＳＦＮ２  ｍｏｄ  Ｔ＝（Ｔ  ｄｉｖ  Ｎ）＊（ＵＥ−ＩＤ  ｍｏｄ  Ｎ）
前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である
ことを特徴とする請求項３９に記載の端末デバイス。
【請求項４１】
前記確定ユニットは、
前記ＳＦＮ２を前記ＳＦＮ１として確定するように構成される
ことを特徴とする請求項４０に記載の端末デバイス。
【請求項４２】
前記確定ユニットは、
前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定するように構成される
ことを特徴とする請求項４０に記載の端末デバイス。
【請求項４３】
ＳＦＮ１は、ＳＦＮ３を後方に少なくとも1つＳＦＮオフセットさせて決定され、
ＳＦＮ３は、ＳＦＮ２よりも前で、かつ、最も近いＳＳＢが位置するＳＦＮである、
ことを特徴とする請求項４２に記載のページングのための方法。
【請求項４４】
前記少なくとも１つのＳＦＮの数がシステムにより設定され、又は、前記少なくとも１つのＳＦＮの数が前記ネットワークデバイスのシステムにより前記端末デバイスに放送される
ことを特徴とする請求項４２又は４３に記載の端末デバイス。
【手続補正書】
【提出日】令和3年2月19日(2021.2.19)
【手続補正１】
【補正対象書類名】明細書
【補正対象項目名】全文
【補正方法】変更
【補正の内容】
【発明の詳細な説明】
【技術分野】
【０００１】
本発明の実施例は、通信分野に関し、具体的に、ページングのための方法、ネットワークデバイス及び端末デバイスに関する。
【背景技術】
【０００２】
人々は、速度、遅延、高速移動性、エネルギー効率に対する追求、および将来の生活におけるサービスの多様性、複雑になる。第３世代パートナーシッププロジェクト( Ｔｈｅ  ３ ｒｄ Ｇｅｎｅｒａｔｉｏｎ Ｐａｒｔｎｅｒｓｈｉｐ Ｐｒｏｊｅｃｔ、３ ＧＰＰ )国際標準団体は、第５世代（５−Ｇｅｎｅｒａｔｉｏｎ、５Ｇ）動通信技術の開発を開始している。５Ｇの主な適用シーンは、拡張モバイルウルトラワイドバンド( Ｅｎｈａｎｃｅ Ｍｏｂｉｌｅ Ｂｒｏａｄｂａｎｄ、ｅＭＢＢ )、低遅延高信頼通信( Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ、ＵＲＬＬＣ )、大規模機械クラス通信( ｍａｓｓｉｖｅ ｍａｃｈｉｎｅ ｔｙｐｅ ｏｆ ｃｏｍｍｕｎｉｃａｔｉｏｎ、ｍＭＴＣ )である。
【０００３】
５Ｇ  ＮＲ（ Ｎｅｗ Ｒａｄｉｏ)の早期構成において、５Ｇ ＮＲのユーザデバイス( Ｕｓｅｒ Ｅｑｕｉｐｍｅｎｔ、ＵＥ )は、ロングタームエボリューション( Ｌｏｎｇ Ｔｅｒｍ Ｅｖｏｌｕｔｉｏｎ、ＬＴＥ )のＵＥと同様に、まずコアネットワークにアタッチ登録され、その後、コアネットワークにＵＥのコンテキスト情報が存在し、そのうちの１つはロケーションエリア情報( ＴＡ ｌｉｓｔ )であり、ＵＥのページングが存在する場合、コアネットワークは、ＴＡ ｌｉｓｔの所在の全ての基地局においてページングメッセージを送信し、基地局は、基地局の下の全てのセルにおいてＵＥのページングをトリガする。したがって、１つのＵＥのページング範囲は、少なくとも１つのＴＡ ｌｉｓｔ範囲内の全てのセルでページングメッセージを送信する。
【０００４】
５Ｇ ＮＲでは、セルがマルチビーム（ｂｅａｍ）形式をとるので、ＵＥにページングするためには、ページングメッセージを各セルの各ビームで送信しなければならない。また、高周波で構成される１セルに対しては、ビームが多くなり、例えば、ビームが６４である場合、１セル内のページングは６４回の送信が必要となり、ネットワークのシグナリング負荷が増大する。したがって、ＵＥがページングメッセージを送信するネットワーク側の負荷をどのように低減するかは、緊急に解決すべき課題である。
【発明の概要】
【０００５】
本願は、ネットワーク側からのページングメッセージの送信負荷を軽減することができるページングのための方法、ネットワークデバイス及び端末デバイスを提供する。
【０００６】
第１の態様は、ページングのための方法を提供し、
ネットワークデバイスが現在帯域キャリアの複数の同期情報ブロックＳＳＢから目標ＳＳＢを確定することと、
前記ネットワークデバイスが前記目標ＳＳＢの存在する周波数領域の位置で、端末デバイスに前記端末デバイスのページングメッセージを送信することとを含む。
【０００７】
本発明の実施例では、現在の帯域キャリアの複数のＳＳＢの中から目標ＳＳＢを決定することにより、ネットワークデバイスが当該目標ＳＳＢの存在する周波数領域の位置のみにおいて端末デバイスにページングメッセージを送信することで、ネットワーク側でのページングメッセージの送信の負荷を効果的に低減することができる。
【０００８】
ある実現可能な方式において、前記ネットワークデバイスが現在帯域キャリアの複数の同期情報ブロックＳＳＢから目標ＳＳＢを確定することは、
前記ネットワークデバイスが以下の式によって前記目標ＳＳＢのインデックスを確定することを含み、
Ｉ＝ＵＥ−ＩＤ ｍｏｄ Ｍ
ここで、前記ｍｏｄがモジュロ演算を示し、前記Ｉが前記目標ＳＳＢのインデックスであり、前記ＵＥ−ＩＤが前記端末デバイスの識別子又は前記端末デバイスの識別子を入力とする演算結果を示し、前記Ｍが前記複数のＳＳＢの数である。
【０００９】
ある実現可能な方式において、前記ＵＥ−ＩＤが前記端末デバイスの一時的加入者識別子Ｓ−ＴＭＳＩであり、又は、前記ＵＥ−ＩＤが前記端末デバイスの国際移動加入者識別子ＩＭＳＩである。
【００１０】
ある実現可能な方式において、前記ネットワークデバイスが現在帯域キャリアの複数の同期情報ブロックＳＳＢから目標ＳＳＢを確定する前に、前記方法は、さらに、
前記ネットワークデバイスが前記端末デバイスに、前記Ｍ、前記広帯域キャリアの各ＳＳＢのインデックス、前記広帯域キャリアの各ＳＳＢの周波数領域位置のうちの少なくとも１つの情報を放送することを含む。
【００１１】
ある実現可能な方式において、前記周波数領域位置が絶対無線周波数チャネル番号ＡＲＦＣＮであり、又は、前記周波数領域位置が現在のＳＳＢの周波数領域の位置に対するオフセット位置である。
【００１２】
ある実現可能な方式において、前記ネットワークデバイスが現在帯域キャリアの複数の同期情報ブロックＳＳＢから目標ＳＳＢを確定することは、
前記ネットワークデバイスがシステムフレーム番号ＳＦＮ１を確定することと、
前記ネットワークデバイスが前記ＳＦＮ１と以下の式によって、前記目標ＳＳＢのインデックスを確定することとを含み、
Ｉ＝ ＳＦＮ１ ｍｏｄ Ｍ
ここで、前記ｍｏｄがモジュロ演算を示し、前記Ｉが前記目標ＳＳＢのインデックスであり、前記Ｍが前記複数のＳＳＢの数であり、前記方法は、さらに、
前記ネットワークデバイスが前記ＳＦＮ１において、前記端末デバイスに前記ページングメッセージを送信することを含む。
【００１３】
ある実現可能な方式において、前記ネットワークデバイスがシステムフレーム番号ＳＦＮ１を確定することは、
前記ネットワークデバイスが以下の式によってシステムフレーム番号ＳＦＮ２を確定することと、
前記ネットワークデバイスが前記ＳＦＮ２に基づいて前記ＳＦＮ１を確定することとを含み、
ＳＦＮ２ ｍｏｄ Ｔ＝（Ｔ ｄｉｖ Ｎ）＊（ＵＥ−ＩＤ ｍｏｄ Ｎ）
ここで、前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である。
【００１４】
ある実現可能な方式において、前記ネットワークデバイスが前記ＳＦＮ２に基づいて前記ＳＦＮ１を確定することは、
前記ネットワークデバイスが前記ＳＦＮ２を前記ＳＦＮ１として確定することを含む。
【００１５】
ある実現可能な方式において、前記ネットワークデバイスが前記ＳＦＮ２に基づいて前記ＳＦＮ１を確定することは、
前記ネットワークデバイスが前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定することを含む。
【００１６】
ある実現可能な方式において、前記少なくとも１つのＳＦＮの数がシステムにより設定され、又は、前記少なくとも１つのＳＦＮの数が前記ネットワークデバイスのシステムにより前記端末デバイスに放送される。
【００１７】
第２の態様は、ページングのための方法を提供し、
端末デバイスが現在帯域キャリアの複数の同期情報ブロックＳＳＢから目標ＳＳＢを確定することと、
前記端末デバイスが前記目標ＳＳＢの存在する周波数領域位置で、ネットワークデバイスにより送信された前記端末デバイスのページングメッセージを受信することとを含む。
【００１８】
ある実現可能な方式において、前記端末デバイスが現在帯域キャリアの複数の同期情報ブロックＳＳＢから目標ＳＳＢを確定することは、
前記端末デバイスが以下の式によって前記目標ＳＳＢのインデックスを確定することを含み、
Ｉ＝ＵＥ−ＩＤ ｍｏｄ Ｍ
ここで、前記ｍｏｄがモジュロ演算を示し、前記Ｉが前記目標ＳＳＢのインデックスであり、前記ＵＥ−ＩＤが前記端末デバイスの識別子又は前記端末デバイスの識別子を入力とする演算結果を示し、前記Ｍが前記複数のＳＳＢの数である。
【００１９】
ある実現可能な方式において、前記ＵＥ−ＩＤが前記端末デバイスの一時的加入者識別子Ｓ−ＴＭＳＩであり、又は、前記ＵＥ−ＩＤが前記端末デバイスの国際移動加入者識別子ＩＭＳＩである。
【００２０】
ある実現可能な方式において、前記端末デバイスが現在帯域キャリアの複数の同期情報ブロックＳＳＢから目標ＳＳＢを確定する前に、前記方法は、さらに、
前記端末デバイスが前記ネットワークデバイスにより放送された、前記Ｍ、前記広帯域キャリアの各ＳＳＢのインデックス、前記広帯域キャリアの各ＳＳＢの周波数領域位置のうちの少なくとも１つの情報を受信することを含む。
【００２１】
ある実現可能な方式において、前記周波数領域位置が絶対無線周波数チャネル番号ＡＲＦＣＮであり、又は、前記周波数領域位置が現在のＳＳＢの周波数領域の位置に対するオフセット位置である。
【００２２】
ある実現可能な方式において、前記端末デバイスが現在帯域キャリアの複数の同期情報ブロックＳＳＢから目標ＳＳＢを確定することは、
前記端末デバイスがシステムフレーム番号ＳＦＮ１を確定することと、
前記端末デバイスが前記ＳＦＮ１と以下の式によって前記目標ＳＳＢのインデックスを確定することと、を含み、
Ｉ＝ ＳＦＮ１ ｍｏｄ Ｍ
ここで、前記ｍｏｄがモジュロ演算を示し、前記Ｉが前記目標ＳＳＢのインデックスであり、前記Ｍが前記複数のＳＳＢの数であり、前記方法は、さらに、
前記端末デバイスが前記ＳＦＮ１において、前記ネットワークデバイスにより送信された前記ページングメッセージを受信することを含む。
【００２３】
ある実現可能な方式において、前記端末デバイスがシステムフレーム番号ＳＦＮ１を確定することは、
前記端末デバイスが以下の式によってシステムフレーム番号ＳＦＮ２を確定することと、
前記端末デバイスが前記ＳＦＮ２に基づいて前記ＳＦＮ１を確定することとを含み、
ＳＦＮ２ ｍｏｄ Ｔ＝（Ｔ ｄｉｖ Ｎ）＊（ＵＥ−ＩＤ ｍｏｄ Ｎ）
ここで、前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である。
【００２４】
ある実現可能な方式において、前記端末デバイスが前記ＳＦＮ２に基づいて前記ＳＦＮ１を確定することは、
前記端末デバイスが前記ＳＦＮ２を前記ＳＦＮ１として確定することを含む。
【００２５】
ある実現可能な方式において、前記端末デバイスが前記ＳＦＮ２に基づいて前記ＳＦＮ１を確定することは、
前記端末デバイスが前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定することを含む。
【００２６】
ある実現可能な方式において、前記少なくとも１つのＳＦＮの数がシステムにより設定され、又は、前記少なくとも１つのＳＦＮの数が前記ネットワークデバイスのシステムにより前記端末デバイスに放送される。
【００２７】
第３の態様は、ネットワークデバイスを提供し、
現在帯域キャリアの複数の同期情報ブロックＳＳＢから目標ＳＳＢを確定するように構成される確定ユニットと、
前記目標ＳＳＢの存在する周波数領域位置で、端末デバイスに前記端末デバイスのページングメッセージを送信するように構成される送受信ユニットとを含む。
【００２８】
第４の態様は、端末デバイスを提供し、
現在帯域キャリアの複数の同期情報ブロックＳＳＢから目標ＳＳＢを確定するように構成される確定ユニットと、
前記目標ＳＳＢの存在する周波数領域位置で、ネットワークデバイスにより送信された前記端末デバイスのページングメッセージを受信するように構成される送受信ユニットとを含む。
【００２９】
第５の態様は、プロセッサ及び送受信機を含むネットワークデバイスを提供し、
プロセッサは、現在帯域キャリアの複数の同期情報ブロックＳＳＢから目標ＳＳＢを確定するように構成され、
送受信機は、前記目標ＳＳＢの存在する周波数領域位置において、端末デバイスに前記端末デバイスのページングメッセージを送信するように構成される。
【００３０】
第６の態様は、プロセッサ及び送受信機を含む端末デバイスを提供し、
プロセッサは、現在帯域キャリアの複数の同期情報ブロックＳＳＢから目標ＳＳＢを確定するように構成され、
送受信機は、前記目標ＳＳＢの存在する周波数領域位置において、ネットワークデバイスにより送信された前記端末デバイスのページングメッセージを受信するように構成される。
【００３１】
第７の態様は、上述の第１の態様または第２の態様の方法の実施例を実行するための命令を含むコンピュータプログラムを記憶するためのコンピュータ可読媒体を提供する。
【００３２】
第８の態様は、入力インタフェースと、出力インタフェースと、少なくとも１つのプロセッサと、メモリとを備えるコンピュータチップを提供し、前記プロセッサは、前記メモリ内のコードを実行し、前記コードが実行されると、前記第１又は第２の発明におけるページング方法の端末デバイスによって実行される各処理を実行する。
【００３３】
第９の態様は、入力インタフェースと、出力インタフェースと、少なくとも１つのプロセッサと、メモリとを備えるコンピュータチップを提供し、前記プロセッサは、前記メモリ内のコードを実行し、前記コードが実行されると、前記第１又は第２の発明におけるページング方法のネットワークデバイスによって実行される各処理を実行する。
【００３４】
第１０の態様は、上記ネットワークデバイスと端末デバイスとを備えた通信システムである。
【図面の簡単な説明】
【００３５】
【図１】本発明の応用シーンの模式図である。
【図２】本発明の実施例におけるページングメッセージ占有された周波数領域リソースの概略ブロック図である。
【図３】本発明の実施例におけるページングのための方法の概略ブロック図である。
【図４】本発明の実施例におけるページングメッセージの送信タイミングの概略ブロック図である。
【図５】本発明の実施例におけるネットワークデバイスの概略ブロック図である。
【図６】本発明の実施例における他のネットワークデバイスの概略ブロック図である。
【図７】本発明の実施例における端末デバイスの概略ブロック図である。
【図８】本発明の実施例における他の端末デバイスの概略ブロック図である。
【発明を実施するための形態】
【００３６】
図１は本発明の実施例における応用シーンの模式図である。
【００３７】
図１に示すように、通信システム１００は、端末デバイス１１０と、ネットワークデバイス１２０とを含む。ネットワークデバイス１２０は、エアポートを通じて端末デバイス１１０と通信する。端末デバイス１１０とネットワークデバイス１２０との間でマルチサービス伝送がサポートされる。
【００３８】
発明の実施例は、通信システム１００を例に挙げて説明したが、本発明の実施例は、これに限定されない。つまり、本発明の実施例に係る技術的解決策は、例えば、移動通信システム( Ｇｌｏｂａｌ Ｓｙｓｔｅｍ ｏｆ Ｍｏｂｉｌｅ Ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ)システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ Ｔｅｒｍ Ｅｖｏｌｕｔｉｏｎ、ＬＴＥ )システム、ＬＴＥ時分割複信( Ｔｉｍｅ Ｄｉｖｉｓｉｏｎ Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )などの様々な通信システムに適用可能である。
【００３９】
本発明は、ネットワークデバイス及び端末デバイスを結合し、各実施例を説明する。
【００４０】
ここで、ネットワークデバイス１２０は、ネットワーク側で信号を送信または受信するために使用される任意のエンティティを指し得る。例えば、マシンタイプ通信( ＭＴＣ )のユーザ機器、ＧＳＭ又はＣＤＭＡにおける基地局( Ｂａｓｅ Ｔｒａｎｓｃｅｉｖｅｒ Ｓｔａｔｉｏｎ、ＢＴＳ )、ＷＣＤＭＡにおける基地局( ＮｏｄｅＢ )、ＬＴＥにおける発展型基地局( Ｅｖｏｌｕｔｉｏｎａｌ Ｎｏｄｅ Ｂ、ｅＮＢ又はｅＮｏｄｅＢ )、５Ｇネットワークにおける基地局機器等であってもよい。
【００４１】
端末デバイス１１０は、任意の端末デバイスであってよい。具体的には、端末デバイス１１０は、１つまたは複数のコアネットワーク( Ｃｏｒｅ Ｎｅｔｗｏｒｋ )と、ワイヤレス・アクセス・ネットワーク( Ｒａｄｉｏ Ａｃｃｅｓｓ Ｎｅｔｗｏｒｋ、ＲＡＮ )を介して通信し、アクセス端末、ユーザ機器( Ｕｓｅｒ Ｅｑｕｉｐｍｅｎｔ、ＵＥ )、ユーザ機器、ユーザ局、移動局、リモート端末、モバイルデバイス、ユーザ端末、ワイヤレス通信デバイス、ユーザエージェント、またはユーザ装置とも呼ばれ得る。例えば、携帯電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、および５Ｇネットワークにおける端末デバイスなどであり得る。
【００４２】
通信システム１００が５Ｇ ( Ｎｅｗ Ｒａｄｉｏ、ＮＲ )通信システムを含む場合、例えば、５Ｇ通信システム及び第１通信システムからなるハイブリッド展開シナリオ等が理解され得る。ここで、当該第１の通信システムは、どのような通信システムであってもよい。例えば、ロングタームエボリューション( Ｌｏｎｇ Ｔｅｒｍ Ｅｖｏｌｕｔｉｏｎ、ＬＴＥ )システム、ＬＴＥ時分割複信( Ｔｉｍｅ Ｄｉｖｉｓｉｏｎ Ｄｕｐｌｅｘ、ＴＤＤ )、ユニバーサル移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )等が挙げられる。
【００４３】
ここで、５Ｇ ＮＲのユーザデバイス( Ｕｓｅｒ Ｅｑｕｉｐｍｅｎｔ、ＵＥ )は、ロングタームエボリューション( Ｌｏｎｇ Ｔｅｒｍ Ｅｖｏｌｕｔｉｏｎ、ＬＴＥ )のＵＥと同様に、まずコアネットワークにアタッチ登録され、その後、コアネットワークにＵＥのコンテキスト情報が存在し、そのうちの１つはロケーションエリア情報( ＴＡ ｌｉｓｔ )であり、ＵＥのページングが存在する場合、コアネットワークは、ＴＡ ｌｉｓｔの所在の全ての基地局においてページングメッセージを送信し、基地局は、基地局の下の全てのセルにおいてＵＥのページングをトリガする。したがって、１つのＵＥのページング範囲は、少なくとも１つのＴＡ ｌｉｓｔ範囲内の全てのセルでページングメッセージを送信する。
【００４４】
しかし、５Ｇ ＮＲでは、セルがマルチビーム（ｂｅａｍ）形式をとるので、ＵＥにページングするためには、ページングメッセージを各セルの各ビームで送信しなければならない。また、高周波で構成される１セルに対しては、ビームが多くなり、例えば、ビームが６４である場合、１セル内のページングは６４回の送信が必要となり、ネットワークのシグナリング負荷が増大する。さらに、上記の問題を解決するために、ＮＲ検討バージョンＲ１５では、広帯域キャリア( ｗｉｄｅｂａｎｄ ｃａｒｒｉｅｒ )が、広いシステム帯域幅である。各ＮＲキャリアの最大チャネル帯域幅は、低い周波数１００ ＭＨｚ、高い周波数４００ ＭＨｚ、そして１００ Ｍｈｚ / ４００ Ｍｈｚチャネル帯域幅が連続している。ＵＥが広帯域キャリア上で動作している場合、ＵＥの電力消費は非常に大きい。したがって、ＵＥの無線周波数( ＲＦ )帯域幅は、ＵＥの実際のスループットに応じて調整され得る。同時に、ＵＥのコストを考えると、ＵＥの実際にサポートされる最大無線周波数帯域幅は、システムによってサポートされる帯域幅よりも小さく、すなわち、広帯域キャリア（ ｗｉｄｅｂａｎｄ ｃａｒｒｉｅｒ ）よりも小さい。したがって、広帯域キャリア（ ｗｉｄｅｂａｎｄ carrier )全体にわたって複数の同期情報ブロック( Ｓｙｎｃｈｒｏｎｉｚａｔｉｏｎ Ｓｉｇｎａｌ Ｂｌｏｃｋ、ＳＳＢ )が送信され、異なるＵＥのアクセス要件を満たす。例えば、図２に示すように、現在の帯域幅キャリアにはＳＳＢ１、ＳＳＢ２が含まれているので、ＵＥのページングが存在する場合、ネットワークデバイスは、ＳＳＢ１、ＳＳＢ２が位置する周波数領域リソース上でのみ端末デバイスのページングメッセージを送信することができ、ネットワークのシグナリングロードを低減することができる。
【００４５】
図２に示す技術案において、異なるＵＥが異なるＳＳＢを選択して常駐するので、ネットワーク側は、ＵＥがどのＳＳＢに常駐しているかを知らないことが分かる。このため、ネットワーク側は、ＵＥに対するページングメッセージを送信する際に、全てのＳＳＢ上で当該ＵＥに対するページングメッセージを送信することになり、上述した技術案には依然として余分な負荷がかかる。
【００４６】
本発明の実施例では、上記技術的課題に存在する余分な負荷を解決するために、現在の帯域キャリアの複数のＳＳＢの中から目標ＳＳＢを決定することにより、ネットワークデバイスが目標ＳＳＢが存在する周波数領域位置のみで端末デバイスにページングメッセージを送信するため、ネットワーク側でのページングメッセージの送信の負荷をさらに低減することができる。
【００４７】
図３は本発明の実施例におけるページングのための方法のフローチャートである。
【００４８】
図３に示すように、当該方法は、２１０〜２３０を含む。
【００４９】
２１０において、ネットワークデバイスが現在帯域キャリアの複数のＳＳＢから目標ＳＳＢを確定する。
【００５０】
２２０において、端末デバイスが現在帯域キャリアの複数のＳＳＢから目標ＳＳＢを確定する。
【００５１】
２３０において、ネットワークデバイスは、当該目標ＳＳＢの存在する周波数領域位置において、当該端末デバイスに当該端末デバイスのページングメッセージを送信する。
【００５２】
具体的には、ネットワークデバイスの場合、ネットワークデバイスは、現在の帯域幅キャリアの複数の同期情報ブロック( ＳＳＢ )において、目標ＳＳＢを決定し、そして、ネットワークデバイスは、目標ＳＳＢが存在する周波数領域位置において、端末デバイスのページングメッセージを端末デバイスに送信する。端末デバイスは、現在の帯域幅キャリアの複数の同期情報ブロック( ＳＳＢ )において、目標ＳＳＢを決定し、そして、端末デバイスは、ネットワークデバイスから送信された端末デバイスのページングメッセージを、ＳＳＢが存在する周波数領域で受信する。
【００５３】
ある実施例において、当該ネットワークデバイスは、以下の式によって当該目標ＳＳＢのインデックスを確定し、Ｉ＝ＵＥ−ＩＤ ｍｏｄ Ｍである。ここで、当該ｍｏｄがモジュロ演算を示し、当該Ｉが当該目標ＳＳＢのインデックスであり、当該ＵＥ−ＩＤは、当該端末デバイスの識別子又は当該端末デバイスの識別子を入力とする演算結果を示し、当該Ｍが当該複数のＳＳＢの数である。さらに、当該ネットワークデバイスが現在帯域キャリアの複数の同期情報ブロックＳＳＢから目標ＳＳＢを確定する前に、当該ネットワークデバイスは、当該端末デバイスに、当該Ｍ、当該広帯域キャリアの各ＳＳＢのインデックス、当該広帯域キャリアの各ＳＳＢの周波数領域位置のうちの少なくとも１つを放送する。任意選択で、当該周波数領域位置は、絶対無線周波数チャネル番号 （Ａｂｓｏｌｕｔｅ Ｒａｄｉｏ Ｆｒｅｑｕｅｎｃｙ Ｃｈａｎｎｅｌ Ｎｕｍｂｅｒ、ＡＲＦＣＮ ）、又は、当該周波数領域位置は、現在のＳＳＢの周波数領域の位置に対するオフセット位置である。
【００５４】
なお、ＵＥ−ＩＤは、端末デバイスを特定できる任意の情報であってもよい。例えば、該ＵＥ−ＩＤは、該端末デバイスの一時的加入者識別子( Ｓ−ＴＭＳＩ )であってもよく、該ＵＥ−ＩＤは、該端末デバイスの国際移動加入者識別子( Ｉｎｔｅｒｎａｔｉｏｎａｌ Ｍｏｂｉｌｅ Ｓｕｂｓｃｒｉｂｅｒ Ｉｄｅｎｔｉｔｙ、ＩＭＳＩ )であってもよい。他の代替的な実施例において、ＵＥ−ＩＤは、端末デバイスの一時的なＩＭＳＩ ( Ｔｅｍｐｏｒａｒｙ ＩＭＳＩ、ＴＩＭＳＩ )、パケットドメイン−ユーザ一時的な識別子（ Ｐａｃｋｅｔ−Ｔｅｍｐｏｒａｒｙ Ｍｏｂｉｌｅ Ｓｕｂｓｃｒｉｂｅｒ Ｉｄｅｎｔｉｔｙ、Ｐ−ＴＭＳＩ )又は国際モバイルデバイス識別子（ Ｉｎｔｅｒｎａｔｉｏｎａｌ Ｍｏｂｉｌｅ Ｅｑｕｉｐｍｅｎｔ Ｉｄｅｎｔｉｔｙ、ＩＭＥＩ )等であってもよい。
【００５５】
他の実施例において、当該ネットワークデバイスは、システムフレーム番号ＳＦＮ１を確定し、次に、当該ネットワークデバイスは、当該ＳＦＮ１と以下の式によって当該目標ＳＳＢのインデックスを確定し、Ｉ＝ ＳＦＮ１ ｍｏｄ Ｍであり、ここで、当該ｍｏｄがモジュロ演算を示し、当該Ｉが当該目標ＳＳＢのインデックスであり、当該Ｍが当該複数のＳＳＢの数であり、さらに、当該ネットワークデバイスは、当該ＳＦＮ１において、当該端末デバイスに当該ページングメッセージを送信する。
【００５６】
具体的には、当該ネットワークデバイスは、ＳＦＮ２を決定した後、ＳＦＮ２に基づいてＳＦＮ１を決定することができる。具体的には、上記式におけるシステムフレーム番号であるＳＦＮ２は、ＵＥのページングタイミング（Ｐａｇｉｎｇ Ｏｃｃａｓｉｏｎ、ＰＯ )におけるページングフレーム( Ｐａｇｉｎｇ Ｆｒａｍｅ、ＰＦ )、すなわち、ページングタイミングの開始時点におけるＳＦＮ ( Ｓｙｓｔｅｍ Ｆｒａｍｅ Ｎｕｍｂｅｒ、ＳＦＮ )であると理解され得る。本発明の実施例において、アイドル状態におけるＵＥの電力消費を低減するために、ＵＥは、非連続受信方式( Ｄｉｓｃｏｎｔｉｎｕｏｕｓ Ｒｅｃｅｐｔｉｏｎ、ＤＲＸ )を用いてページングメッセージを受信し、アイドル状態におけるＵＥは、特定のサブフレーム( １ ｍｓ )において物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )をリッスンし、これらの特定のサブフレーム( １ ｍｓ )は、ページングタイミング( Ｐａｇｉｎｇ Ｏｃｃａｓｉｏｎ、ＰＯ )と呼ばれ、これらの特定のサブフレーム( １ ｍｓ )が位置する無線フレーム( １０ ｍｓ )は、ページングフレーム( Ｐａｇｉｎｇ Ｆｒａｍｅ、ＰＦ )と呼ばれる。したがって、ＳＦＮ１は、当該目標ＳＳＢのインデックスを決定するためのシステムフレーム番号( Ｓｙｓｔｅｍ Ｆｒａｍｅ Ｎｕｍｂｅｒ、ＳＦＮ )として理解され得る。
【００５７】
実際の動作では、端末デバイスがＰＦ及びＰＯの特定の位置を計算した後、ＵＥは、当該位置のＰＤＣＣＨのリスニングを開始し、ページング無線ネットワーク一時識別子が見つかった場合( Ｐａｇｉｎｇ Ｒａｄｉｏ Ｎｅｔｗｏｒｋ Ｔｅｍｐｏｒａｒｙ Ｉｄｅｎｔｉｆｉｅｒ、Ｐ−ＲＮＴＩ )、ＰＤＣＣＨによって示されるＲＢ割り当て及び変調符号化方式( ＭＣＳ )に従って、同一サブフレームの物理下り共有チャネル( Ｐｈｙｓｉｃａｌ Ｄｏｗｎｌｉｎｋ Ｓｈａｒｅｄ Ｃｈａｎｎｅｌ、ＰＤＳＣＨ )上からページングメッセージを取得する。ページングメッセージが自ＵＥのアイデンティティ識別子( ＩＤ )を含む場合、ページング応答を開始し、そうでない場合、対応する位置のＰＤＣＣＨをリッスンすることが、時間間隔Ｔの後に継続される。
【００５８】
例として、当該ネットワークデバイスは、以下の式によってシステムフレーム番号ＳＦＮ２を確定し、
ＳＦＮ２ ｍｏｄ Ｔ＝（Ｔ ｄｉｖ Ｎ）＊（ＵＥ−ＩＤ ｍｏｄ Ｎ）である。
【００５９】
ここで、当該ｄｉｖは整除演算を表し、該ｍｏｄはモジュロ演算を表し、該Ｔは該端末デバイスが現在使用している非連続受信方式ＤＲＸ周期であり、該ＵＥ−ＩＤは該端末デバイスの識別子又は該端末デバイスの識別子を入力とする演算結果を表し、該Ｎはネットワーク側の構成パラメータ又はネットワーク側の構成パラメータを入力とする演算結果である。例えば、Ｎ＝ｍｉｎ（Ｔ、ｎＢ）を用い、ここで、ＴはＤＲＸ周期であり、ｎＢはネットワーク側設定パラメータである。
【００６０】
例として、当該ネットワークデバイスは、当該ＳＦＮ２を当該ＳＦＮ１として確定する。
【００６１】
他の例として、ＰＯが存在する位置がＳＳＢに近くするように、例えば、ＰＯがＳＳＢの直後に位置し、この場合、ＳＳＢで同期をとった後に端末デバイスがページングメッセージを直接受信できるようにするためには、上記式で計算したＰＦのＳＦＮを、直前のＳＳＢが存在するＳＦＮの後の少なくとも１つＳＦＮが間隔されたＳＦＮにシフトして最後のＰＦの位置とする必要がある。ここで、少なくとも１つＳＦＮは、システム固定でもよいし、ネットワーク側がシステム放送で構成してもよい。すなわち、図４に示すように、当該ネットワークデバイスは、ＳＦＮ２より前で最も近いＳＳＢ０が位置するＳＦＮ３を決定し、ＳＦＮ３より少なくとも１つのＳＦＮを後方にオフセットしたＳＦＮをＳＦＮ１として決定することができる。任意選択で、上記の少なくとも１つのＳＦＮの個数をシステムで設定するか、又は、ネットワークデバイスシステムから端末デバイスにブロードキャストする。
【００６２】
なお、上記のＩ＝ ＳＦＮ１ ｍｏｄ Ｍによって目標ＳＳＢのインデックスを確定し、当該ネットワークデバイスが当該ＳＦＮ１において当該端末デバイスに当該ページングメッセージを送信することは、例示なものである。例えば、他の実施例において、当該ネットワークデバイスは、Ｉ＝ＵＥ−ＩＤ ｍｏｄ Ｍに基づいて目標ＳＳＢのインデックスを確定し、当該ＳＦＮ１に当該端末デバイスに当該ページングメッセージを送信してもよい。
【００６３】
図５は本発明の実施例におけるネットワークデバイスのブロック図である。
【００６４】
図５に示すように、当該ネットワークデバイス３００は、確定ユニット３１０及び送受信ユニット３２０を含む。
【００６５】
確定ユニット３１０は、現在帯域キャリアの複数の同期情報ブロックＳＳＢから目標ＳＳＢを確定するように構成され、送受信ユニット３２０は、当該目標ＳＳＢの存在する周波数領域位置において、端末デバイスに当該端末デバイスのページングメッセージを送信するように構成される。
【００６６】
任意選択で、確定ユニット３１０は、具体的に、以下の式によって、当該目標ＳＳＢのインデックスを確定するように構成され、
Ｉ＝ＵＥ−ＩＤ ｍｏｄ Ｍである。
【００６７】
ここで、当該ｍｏｄがモジュロ演算を示し、当該Ｉが当該目標ＳＳＢのインデックスであり、当該ＵＥ−ＩＤが当該端末デバイスの識別子又は当該端末デバイスの識別子を入力とする演算結果を示し、当該Ｍが当該複数のＳＳＢの数である。
【００６８】
任意選択で、当該ＵＥ−ＩＤは、当該端末デバイスの一時的加入者識別子Ｓ−ＴＭＳＩ、又は、当該ＵＥ−ＩＤは、当該端末デバイス的国際移動加入者識別子ＩＭＳＩである。
【００６９】
任意選択で、確定ユニット３１０が現在帯域キャリアの複数の同期情報ブロックＳＳＢから目標ＳＳＢを確定する前に、当該送受信ユニット３２０は、さらに、当該Ｍ、当該広帯域キャリアの各ＳＳＢのインデックス、当該広帯域キャリアの各ＳＳＢの周波数領域位置のうちの少なくとも１つの情報を当該端末デバイスに放送するように構成される。
【００７０】
任意選択で、当該周波数領域位置は、絶対無線周波数チャネル番号ＡＲＦＣＮであり、又は、当該周波数領域位置は、現在のＳＳＢの周波数領域の位置に対するオフセット位置である。
【００７１】
任意選択で、確定ユニット３１０は、具体的に、
システムフレーム番号ＳＦＮ１を確定し、当該ＳＦＮ１と以下の式によって当該目標ＳＳＢのインデックスを確定するように構成され、
Ｉ＝ ＳＦＮ１ ｍｏｄ Ｍである。
【００７２】
ここで、当該ｍｏｄがモジュロ演算を示し、当該Ｉが当該目標ＳＳＢのインデックスであり、当該Ｍが当該複数のＳＳＢの数であり、当該送受信ユニット３２０は、具体的に、
当該ＳＦＮ１において、当該端末デバイスに当該ページングメッセージを送信するように構成される。
【００７３】
任意選択で、確定ユニット３１０は、さらに、以下の式によってシステムフレーム番号ＳＦＮ２を確定し、
当該ＳＦＮ２に基づいて当該ＳＦＮ１を確定するように構成され、
ＳＦＮ２ ｍｏｄ Ｔ＝（Ｔ ｄｉｖ Ｎ）＊（ＵＥ−ＩＤ ｍｏｄ Ｎ）である。
【００７４】
ここで、当該ｄｉｖは整除演算を表し、該ｍｏｄはモジュロ演算を表し、該Ｔは該端末デバイスが現在使用している非連続受信方式ＤＲＸ周期であり、該ＵＥ−ＩＤは該端末デバイスの識別子又は該端末デバイスの識別子を入力とする演算結果を表し、該Ｎはネットワーク側の構成パラメータ又はネットワーク側の構成パラメータを入力とする演算結果である。
【００７５】
任意選択で、確定ユニット３１０は、具体的に、当該ＳＦＮ２を当該ＳＦＮ１として確定するように構成される。
【００７６】
任意選択で、確定ユニット３１０は、具体的に、前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定するように構成される。
【００７７】
任意選択で、前記少なくとも１つのＳＦＮの数がシステムにより設定され、又は、前記少なくとも１つのＳＦＮの数が前記ネットワークデバイスのシステムにより前記端末デバイスに放送される。
【００７８】
本発明の実施例において、確定ユニット３１０はプロセッサによって実現され、送受信ユニット３２０は送受信機によって実現されてもよい。図６に示すように、ネットワークデバイス４００は、プロセッサ４１０、送受信機４２０、及びメモリ４３０を含み得る。ここで、メモリ４３０は、指示情報を記憶するために使用されてもよく、プロセッサ４１０が実行するコード、命令などを記憶するために使用されてもよい。ネットワークデバイス４００の各構成要素は、データバスの他に、電源バス、制御バス、ステータス信号バス等のバスシステムにより接続されている。図６に示すネットワークデバイス４００は、上述の方法の実施例においてネットワークデバイスにより実施される様々なプロセスを実施することができ、重複を避けるためにここでは繰り返し説明しない。
【００７９】
図７は本発明の実施例における端末デバイスのブロック図である。
【００８０】
図７に示すように、当該端末デバイスは、確定ユニット５１０及び送受信ユニット５２０を含む。
【００８１】
確定ユニット５１０は、現在帯域キャリアの複数の同期情報ブロックＳＳＢから目標ＳＳＢを確定するように構成され、送受信ユニット５２０は、当該目標ＳＳＢの存在する周波数領域位置において、ネットワークデバイスにより送信された当該端末デバイスのページングメッセージを受信するように構成される。
【００８２】
任意選択で、確定ユニット５１０は、以下の式によって当該目標ＳＳＢ的インデックスを確定するように構成され、
Ｉ＝ＵＥ−ＩＤ ｍｏｄ Ｍである。
【００８３】
ここで、当該ｍｏｄがモジュロ演算を示し、当該Ｉが当該目標ＳＳＢのインデックスであり、当該ＵＥ−ＩＤが当該端末デバイスの識別子又は当該端末デバイスの識別子を入力とする演算結果を示し、当該Ｍが当該複数のＳＳＢの数である。
【００８４】
任意選択で、当該ＵＥ−ＩＤが当該端末デバイスの一時的加入者識別子Ｓ−ＴＭＳＩであり、又は、当該ＵＥ−ＩＤが当該端末デバイスの国際移動加入者識別子ＩＭＳＩである。
【００８５】
任意選択で、当該端末デバイスが現在帯域キャリアの複数の同期情報ブロックＳＳＢから目標ＳＳＢを確定する前に、当該送受信ユニット５２０は、さらに、当該ネットワークデバイスにより放送された、当該Ｍ、当該広帯域キャリアの各ＳＳＢのインデックス、当該広帯域キャリアの各ＳＳＢの周波数領域位置のうちの少なくとも１つを受信するように構成される。
【００８６】
任意選択で、当該周波数領域位置が絶対無線周波数チャネル番号ＡＲＦＣＮであり、又は、当該周波数領域位置が現在のＳＳＢの周波数領域の位置に対するオフセット位置である。
【００８７】
任意選択で、確定ユニット５１０は、具体的に、システムフレーム番号ＳＦＮ１を確定し、当該ＳＦＮ１と以下の式によって、当該目標ＳＳＢのインデックスを確定するように構成され、
Ｉ＝ ＳＦＮ１ ｍｏｄ Ｍである。
【００８８】
ここで、当該ｍｏｄがモジュロ演算を示し、当該Ｉが当該目標ＳＳＢのインデックスであり、当該Ｍが当該複数のＳＳＢの数であり、当該送受信ユニットは、さらに、
当該ＳＦＮ１において、当該ネットワークデバイスにより送信された当該ページングメッセージを受信するように構成される。
【００８９】
任意選択で、確定ユニット５１０は、具体的に、以下の式によってシステムフレーム番号ＳＦＮ２を確定し、
当該ＳＦＮ２に基づいて当該ＳＦＮ１を確定するように構成され、
ＳＦＮ２ ｍｏｄ Ｔ＝（Ｔ ｄｉｖ Ｎ）＊（ＵＥ−ＩＤ ｍｏｄ Ｎ）である。
【００９０】
ここで、当該ｄｉｖは整除演算を表し、当該ｍｏｄはモジュロ演算を表し、該Ｔは該端末デバイスが現在使用している非連続受信方式ＤＲＸ周期であり、該ＵＥ−ＩＤは該端末デバイスの識別子又は該端末デバイスの識別子を入力とする演算結果を表し、該Ｎはネットワーク側の構成パラメータ又はネットワーク側の構成パラメータを入力とする演算結果である。
【００９１】
任意選択で、確定ユニット５１０は、具体的に、当該ＳＦＮ２を当該ＳＦＮ１として確定するように構成される。
【００９２】
任意選択で、確定ユニット５１０は、具体的に、前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定するように構成される。
【００９３】
なお、本発明の実施の形態では、確定ユニット５１０はプロセッサにより実現され、送受信ユニット５２０は送受信機により実現されてもよい。図８に示すように、端末デバイス６００は、プロセッサ６１０、送受信機６２０、及びメモリ６３０を含む。ここで、メモリ６３０は、指示情報を記憶するために使用されてもよく、プロセッサ６１０が実行するコード、命令などを記憶するために使用されてもよい。端末デバイス６００の各構成要素は、データバスの他に、電源バス、制御バス、ステータス信号バス等のバスシステムにより接続されている。図８に示す端末デバイス６００は、上述の方法の実施例において端末デバイスにより実現される各処理を実現することができるが、重複を避けるため、ここではその説明を省略する。
【００９４】
任意選択で、前記少なくとも１つのＳＦＮの数がシステムにより設定され、又は、前記少なくとも１つのＳＦＮの数が前記ネットワークデバイスのシステムにより前記端末デバイスに放送される。
【００９５】
実施において、本発明の実施例における方法の実施例のステップは、プロセッサにおけるハードウェアの集積論理回路またはソフトウェア形態の命令によって実行されてもよい。より具体的には、本発明の実施例に関連して開示された方法のステップは、ハードウェアデコーディングプロセッサによって実行されることによって直接実施され得るか、または、デコーディングプロセッサ内のハードウェアおよびソフトウェアモジュールの組み合わせによって実行されることによって実施され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【００９６】
ここで、本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。また、汎用プロセッサはマイクロプロセッサであってもよく、また、汎用プロセッサは汎用プロセッサであれば何でもよい。
【００９７】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【００９８】
最後に、本発明の実施例及び添付の特許請求の範囲で使用される用語は、特定の実施例を説明する目的のためだけであり、本発明の実施例を限定することを意図していないことに留意されたい。
【００９９】
例えば、本発明の実施例及び添付の特許請求の範囲で使用される単数形の「１つ」、「上記」、及び「当該」は、文脈が他の意味を明確に示しない限り、複数形も含むことを意図している。
【０１００】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の実施例の範囲から逸脱するものと考えられるべきではない。
【０１０１】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１０２】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１０３】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、各手段の一部又は全部を、必要に応じて選択して、実施することもできる。
【０１０４】
また、本発明の実施の形態における各機能部は、１つの処理部に集積されていてもよいし、各部は、物理的に単独で存在していてもよいし、２つ以上の部が１つの処理部に集積されていてもよい。
【０１０５】
ソフトウェア機能単位で実現され、独立した製品として販売又は使用される場合、コンピュータ読み取り可能な記録媒体に格納されてもよい。このような理解に基づいて、本発明の実施例の技術的思想の本質または従来技術に寄与する部分、または技術的思想の部分は、１つのコンピュータ装置(パーソナルコンピュータ、サーバ、またはネットワークデバイスなどであってもよい)に本発明の実施例に係る方法のステップの全部または一部を実行させるための複数の命令を含む１つの記憶媒体に記憶されたソフトウェア製品の形態で具現化されてもよい。また、前記記憶媒体としては、U-ディスク、リムーバブルハードディスク、リードオンリメモリ、ランダムアクセスメモリ、磁気ディスク、光ディスク等のプログラムコードを記憶できる種々の媒体を用いることができる。
【０１０６】
以上、本発明の実施例を具体的に説明したが、本発明の実施例の保護範囲はこれに限定されるものではなく、本発明の実施例の保護範囲内で当業者であれば容易に変更または置換を想到できるものであり、それらも本発明の実施例の保護範囲に包含されるものである。したがって、本発明の実施例の保護範囲は、特許請求の範囲の保護範囲を基準とするべきである。
【手続補正２】
【補正対象書類名】特許請求の範囲
【補正対象項目名】全文
【補正方法】変更
【補正の内容】
【特許請求の範囲】
【請求項１】
ネットワークデバイスが現在帯域キャリアの複数の同期情報ブロックＳＳＢから目標ＳＳＢを確定することと、
前記ネットワークデバイスが前記目標ＳＳＢの存在する周波数領域の位置で、端末デバイスに前記端末デバイスのページングメッセージを送信することとを含む
ことを特徴とするページングのための方法。
【請求項２】
前記ネットワークデバイスが現在帯域キャリアの複数の同期情報ブロックＳＳＢから目標ＳＳＢを確定することは、
前記ネットワークデバイスがシステムフレーム番号ＳＦＮ１を確定することと、
前記ネットワークデバイスが前記ＳＦＮ１と以下の式によって、前記目標ＳＳＢのインデックスを確定することとを含み、
Ｉ＝ ＳＦＮ１ ｍｏｄ Ｍ
前記ｍｏｄがモジュロ演算を示し、前記Ｉが前記目標ＳＳＢのインデックスであり、前記Ｍが前記複数のＳＳＢの数であり、
前記方法は、さらに、
前記ネットワークデバイスが前記ＳＦＮ１において、前記端末デバイスに前記ページングメッセージを送信することを含む
ことを特徴とする請求項１に記載のページングのための方法。
【請求項３】
前記ネットワークデバイスが現在帯域キャリアの複数の同期情報ブロックＳＳＢから目標ＳＳＢを確定することは、
前記ネットワークデバイスがシステムフレーム番号ＳＦＮ１を確定することを含み、
前記ネットワークデバイスがシステムフレーム番号ＳＦＮ１を確定することは、
前記ネットワークデバイスが以下の式によってシステムフレーム番号ＳＦＮ２を確定することと、
前記ネットワークデバイスが前記ＳＦＮ２に基づいて前記ＳＦＮ１を確定することとを含み、
ＳＦＮ２ ｍｏｄ Ｔ＝（Ｔ ｄｉｖ Ｎ）＊（ＵＥ−ＩＤ ｍｏｄ Ｎ）
ここで、前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である
ことを特徴とする請求項１に記載のページングのための方法。
【請求項４】
前記ネットワークデバイスが前記ＳＦＮ２に基づいて前記ＳＦＮ１を確定することは、
前記ネットワークデバイスが前記ＳＦＮ２を前記ＳＦＮ１として確定することを含む
ことを特徴とする請求項３に記載のページングのための方法。
【請求項５】
前記ネットワークデバイスが前記ＳＦＮ２に基づいて前記ＳＦＮ１を確定することは、
前記ネットワークデバイスが前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定することを含む
ことを特徴とする請求項３に記載のページングのための方法。
【請求項６】
ＳＦＮ１は、ＳＦＮ３を後方に少なくとも1つＳＦＮオフセットさせて決定され、
ＳＦＮ３は、ＳＦＮ２よりも前で、かつ、最も近いＳＳＢが位置するＳＦＮである、
ことを特徴とする請求項３に記載のページングのための方法。
【請求項７】
前記少なくとも１つのＳＦＮの数がシステムにより設定され、又は、前記少なくとも１つのＳＦＮの数が前記ネットワークデバイスのシステムにより前記端末デバイスに放送される
ことを特徴とする請求項５又は６に記載のページングのための方法。
【請求項８】
端末デバイスが現在帯域キャリアの複数の同期情報ブロックＳＳＢから目標ＳＳＢを確定することと、
前記端末デバイスが前記目標ＳＳＢの存在する周波数領域位置で、ネットワークデバイスにより送信された前記端末デバイスのページングメッセージを受信することとを含む
ことを特徴とするページングのための方法。
【請求項９】
前記端末デバイスが現在帯域キャリアの複数の同期情報ブロックＳＳＢから目標ＳＳＢを確定することは、
前記端末デバイスがシステムフレーム番号ＳＦＮ１を確定することと、
前記端末デバイスが前記ＳＦＮ１と以下の式によって前記目標ＳＳＢのインデックスを確定することとを含み、
Ｉ＝ ＳＦＮ１ ｍｏｄ Ｍ
前記ｍｏｄがモジュロ演算を示し、前記Ｉが前記目標ＳＳＢのインデックスであり、前記Ｍが前記複数のＳＳＢの数であり、
前記方法は、さらに、
前記端末デバイスが前記ＳＦＮ１において、前記ネットワークデバイスにより送信された前記ページングメッセージを受信することを含む
ことを特徴とする請求項８に記載のページングのための方法。
【請求項１０】
前記端末デバイスが現在帯域キャリアの複数の同期情報ブロックＳＳＢから目標ＳＳＢを確定することは、
前記端末デバイスがシステムフレーム番号ＳＦＮ１を確定することを含み、
前記端末デバイスがシステムフレーム番号ＳＦＮ１を確定することは、
前記端末デバイスが以下の式によってシステムフレーム番号ＳＦＮ２を確定することと、
前記端末デバイスが前記ＳＦＮ２に基づいて前記ＳＦＮ１を確定することとを含み、
ＳＦＮ２ ｍｏｄ Ｔ＝（Ｔ ｄｉｖ Ｎ）＊（ＵＥ−ＩＤ ｍｏｄ Ｎ）
前記ｄｉｖが整除演算を示し、前記ｍｏｄがモジュロ演算を示し、前記Ｔは、前記端末デバイスが現在使用する非連続受信方式ＤＲＸ周期であり、前記ＵＥ−ＩＤが前記端末デバイスの識別子又は前記端末デバイスの識別子を入力とする演算結果を示し、前記Ｎがネットワーク側の構成パラメータ又はネットワーク側の構成パラメータを入力とする演算結果である
ことを特徴とする請求項８に記載のページングのための方法。
【請求項１１】
前記端末デバイスが前記ＳＦＮ２に基づいて前記ＳＦＮ１を確定することは、
前記端末デバイスが前記ＳＦＮ２を前記ＳＦＮ１として確定することを含む
ことを特徴とする請求項１０に記載のページングのための方法。
【請求項１２】
前記端末デバイスが前記ＳＦＮ２に基づいて前記ＳＦＮ１を確定することは、
前記端末デバイスが前記ＳＦＮ２の前に、且つ最も近いＳＳＢの存在するＳＦＮ３を確定し、前記ＳＦＮ３に対して少なくとも１つＳＦＮを後方にオフセットしたＳＦＮを前記ＳＦＮ１として確定することを含む
ことを特徴とする請求項１０に記載のページングのための方法。
【請求項１３】
ＳＦＮ１は、ＳＦＮ３を後方に少なくとも1つＳＦＮオフセットさせて決定され、
ＳＦＮ３は、ＳＦＮ２よりも前で、かつ、最も近いＳＳＢが位置するＳＦＮである、
ことを特徴とする請求項１０に記載のページングのための方法。
【請求項１４】
前記少なくとも１つのＳＦＮの数がシステムにより設定され、又は、前記少なくとも１つのＳＦＮの数が前記ネットワークデバイスのシステムにより前記端末デバイスに放送される
ことを特徴とする請求項１２又は１３に記載のページングのための方法。
【請求項１５】
プロセッサと送受信機とを含み、
前記プロセッサと前記送受信機とは、請求項１〜７のいずれか１項に記載のページングのための方法を実行する
ことを特徴とするネットワークデバイス。
【請求項１６】
プロセッサと送受信機とを含み、
前記プロセッサと前記送受信機とは、請求項８〜１４のいずれか１項に記載のページングのための方法を実行する
ことを特徴とする端末デバイス。
【手続補正３】
【補正対象書類名】図面
【補正対象項目名】全図
【補正方法】変更
【補正の内容】
【図１】
2021520656.tif 000011
【図２】
2021520656.tif 000012
【図３】
2021520656.tif 000013
【図４】
2021520656.tif 000014
【図５】
2021520656.tif 000015
【図６】
2021520656.tif 000016
【図７】
2021520656.tif 000017
【図８】
2021520656.tif 000018
【国際調査報告】
2021520656.tif 000019
2021520656.tif 000020
2021520656.tif 000021
2021520656.tif 000022